(57)【特許請求の範囲】
【請求項１】
ユーザー装置は、物理アップリンク制御チャネル（ＰＵＣＣＨ）の伝送に用いられる直交シーケンスの指示情報を取得するステップは、
前記ユーザー装置は、前記直交シーケンスの指示情報に対応する直交シーケンスに基づき、周波数ドメインにおいて、前記ＰＵＣＣＨに搭載されたアップリンク制御情報を拡散するステップと、
前記ユーザー装置は、前記ＰＵＣＣＨに対応する周波数ドメインリソースにおいて、前記周波数ドメインにおいて拡散されたアップリンク制御情報を伝送するステップとを備え、
0006779286.tif 000058
１データシンボルがマッピングされたＲＥ組のＲＥは、周波数ドメインにおいて分散して分布されることを特徴する周波数ドメインにおける拡散及び伝送方法。
【請求項２】
前記ＰＵＣＣＨの伝送に用いられる直交シーケンスの指示情報を取得することは、
受信した高位層シグナリング及び/またはＵＬ/ＤＬ制御情報ＤＣＩ内のビットフィールドに基づき、ＰＵＣＣＨの伝送に用いられる直交シーケンスの番号を取得し、
または、
前記ＰＵＣＣＨのチャネルリソース番号に基づき、前記ＰＵＣＣＨに用いられる直交シーケンスの番号を決定し、ここで、前記ＰＵＣＣＨのチャネルリソース番号は、高位層シグナリング及び/またはＤＣＩ内のビットフィールドにより通知されることを特徴する請求項１に記載の周波数ドメインにおける拡散及び伝送方法。
【請求項３】
前記前記ＰＵＣＣＨのチャネルリソース番号に基づき、前記ＰＵＣＣＨに用いられる直交シーケンスの番号を決定することは、
少なくとも、前記ＰＵＣＣＨのチャネルリソース番号及び前記直交シーケンスの長さに基づき、前記ＰＵＣＣＨが所在のサブフレームにおいて用いる直交シーケンスの番号を決定し、
または、
少なくとも、前記ＰＵＣＣＨのチャネルリソース番号、前記直交シーケンスの長さ及び前記ＰＵＣＣＨの所在スロットの番号に基づき、前記ＰＵＣＣＨが所在のサブフレーム内の当該スロットにおいて用いる直交シーケンスの番号を決定し、  または、
少なくとも、前記ＰＵＣＣＨのチャネルリソース番号、前記直交シーケンスの長さ及び前記ＰＵＣＣＨを伝送するシングルキャリア周波数分割多元ＳＣ−ＦＤＭＡシンボルの番号に基づき、前記ＰＵＣＣＨの、所在のサブフレーム内それぞれのスロットにおける当該ＳＣ−ＦＤＭＡシンボル上の対応する直交シーケンスの番号を決定し、
または、
少なくとも、前記ＰＵＣＣＨのチャネルリソース番号、前記直交シーケンスの長さ、前記ＰＵＣＣＨの所在のスロットの番号及び当該スロットにおけるＰＵＣＣＨを伝送するためのＳＣ−ＦＤＭＡシンボルの番号に基づき、前記ＰＵＣＣＨの、所在のサブフレーム内の当該スロットにおける当該ＳＣ−ＦＤＭＡシンボル上の対応する直交シーケンスの番号を決定することを特徴する請求項２に記載の周波数ドメインにおける拡散及び伝送方法。
【請求項４】
異なるデータシンボルがマッピングされた異なるＲＥ組内のＲＥは、周波数ドメインにおいて、平行分布されるかまたは、交互に分布されることを特徴する請求項１に記載の周波数ドメインにおける拡散及び伝送方法。
【請求項５】
サイクリック・シフト値に基づき、前記ＰＵＣＣＨのパイロットに対し、サイクリック・シフトを行うステップをさらに備え、
0006779286.tif 000059
【請求項６】
前記サイクリック・シフト値は、高位層シグナリング及び/またはＤＣＩにより通知されるか、または、前記直交シーケンスの番号により決定されることを特徴する請求項５に記載の周波数ドメインにおける拡散及び伝送方法。
【請求項７】
前記直交シーケンスの長さはＭで割り切れる正の整数であり、Ｍは、１物理リソースブロック（ＰＲＢ）により占有されたサブキャリアの数であり、Ｍは正の整数であり、
及び/または、
前記直交シーケンスは、Ｗａｌｓｈ Ｃｏｄｅ直交シーケンス、ＤＦＴ直交シーケンス及びＤＣＴ直交シーケンスのうちの１つまたは複数を含むことを特徴する請求項１ないし請求項６のいずれかに記載の周波数ドメインにおける拡散及び伝送方法。
【請求項８】
周波数ドメインにおいて、前記ＰＵＣＣＨに搭載されたアップリンク制御情報を拡散することは、
前記ＰＵＣＣＨにより占有されたデータを搭載するそれぞれのＳＣ−ＦＤＭＡシンボルについて、前記ＳＣ−ＦＤＭＡシンボルにおいて伝送するデータシンボルと、前記対応する直交シーケンスにおける対応の直交コードをかけて、前記ＳＣ−ＦＤＭＡシンボル上の対応のＲＥにマッピングすることを特徴する請求項１に記載の周波数ドメインにおける拡散及び伝送方法。
【請求項９】
前記対応する直交シーケンスの長さは１２であり、前記対応する直交シーケンスは[+１,+１,+１,+１,+１,+１,+１,+１,+１,+１,+１,+１]または[+１,+１,+１,+１,+１,+１,-１,-１,-１,-１,-１,-１]であり、前記ＳＣ−ＦＤＭＡシンボルにおいて伝送する６個のデータシンボルのうちのｉ番目のデータシンボルと、前記対応する直交シーケンス内のi番目及びi+６番目の直交コードをかけて、前記ＳＣ−ＦＤＭＡシンボル上のi番目及びi+６番目のＲＥにそれぞれマッピングすることを特徴する請求項８に記載の周波数ドメインにおける拡散及び伝送方法。
【請求項１０】
基地局は、物理アップリンク制御チャネル（ＰＵＣＣＨ）に対応する周波数ドメインリソースにおいて、前記ＰＵＣＣＨを受信するステップと、
前記基地局は、前記ＰＵＣＣＨに用いられる直交シーケンスの指示情報を決定するステップと、
前記基地局は、前記直交シーケンスの指示情報に対応する直交シーケンスを用いて、周波数ドメインにおいて、前記ＰＵＣＣＨに搭載されたアップリンク制御情報を拡散解消するステップとを備え、
周波数ドメインにおいて、前記ＰＵＣＣＨに搭載されたアップリンク制御情報を拡散する解消ことは、
0006779286.tif 000060
１データシンボルがマッピングされたＲＥ組のＲＥは、周波数ドメインにおいて分散して分布されることを特徴とする周波数ドメインにおける拡散解消方法。
【請求項１１】
前記基地局は、高位層シグナリング及び/またはＵＬ/ＤＬ制御情報ＤＣＩ内のビットフィールドにより、ユーザー装置にＰＵＣＣＨの伝送に用いられる直交シーケンスの番号を通知するステップ、
または、
前記基地局は、高位層シグナリング及び/またはＤＣＩにより、ユーザー装置に前記ＰＵＣＣＨのチャネルリソース番号を通知することにより、前記ユーザー装置に、前記ＰＵＣＣＨのチャネルリソース番号に基づき、前記ＰＵＣＣＨに用いられる直交シーケンスの番号を決定させるようにするステップをさらに備えることを特徴とする請求項１０に記載の周波数ドメインにおける拡散解消方法。
【請求項１２】
異なるデータシンボルがマッピングされた異なるＲＥ組内のＲＥは、周波数ドメインにおいて、平行分布されるかまたは、交互に分布されることを特徴とする請求項１１に記載の周波数ドメインにおける拡散解消方法。
【請求項１３】
前記基地局はサイクリック・シフト値により、前記ＰＵＣＣＨのパイロットを受信するステップをさらに備え、
0006779286.tif 000061
【請求項１４】
前記基地局は、高位層シグナリング及び/またはＤＣＩによりユーザー装置に前記サイクリック・シフト値を通知するステップをさらに備えることを特徴とする請求項１３に記載の周波数ドメインにおける拡散解消方法。
【請求項１５】
前記直交シーケンスの長さはＭで割り切れる正の整数であり、Ｍは、１物理リソースブロック（ＰＲＢ）により占有されたサブキャリアの数であり、Ｍは正の整数であり、
前記直交シーケンスは、Ｗａｌｓｈ Ｃｏｄｅ直交シーケンス、ＤＦＴ直交シーケンス及びＤＣＴ直交シーケンスのうちの１つまたは複数を含むことを特徴とする請求項１０から請求項１４までのいずれか１項に記載の周波数ドメインにおける拡散解消方法。
【請求項１６】
周波数ドメインにおいて、前記ＰＵＣＣＨに搭載されたアップリンク制御情報を拡散解消することは、
前記ＰＵＣＣＨにより占有されたデータを搭載するそれぞれのＳＣ−ＦＤＭＡシンボルについて、前記ＳＣ−ＦＤＭＡシンボルの対応のＲＥにおいて受信した拡散したデータシンボルと、前記対応する直交シーケンスの共役転置シーケンスをかけて、拡散解消された前記ＳＣ−ＦＤＭＡシンボルにおいて伝送するデータシンボルを得ることを特徴とする請求項１０に記載の周波数ドメインにおける拡散解消方法。
【請求項１７】
前記対応する直交シーケンスの長さは１２であり、前記対応する直交シーケンスは[+１,+１,+１,+１,+１,+１,+１,+１,+１,+１,+１,+１]または[+１,+１,+１,+１,+１,+１,-１,-１,-１,-１,-１,-１]であり、前記ＳＣ−ＦＤＭＡシンボル上のi番目及びi+６番目のＲＥにおいて受信した拡散したデータシンボルと、前記対応する直交シーケンス内のi番目及びi+６番目の直交コードの共役転置をかけて、拡散解消された前記ＳＣ−ＦＤＭＡシンボルにおいて伝送する６個のデータシンボルのうちのｉ番目のデータシンボルを得ることを特徴とする請求項１６に記載の周波数ドメインにおける拡散解消方法。
【請求項１８】
物理アップリンク制御チャネル（ＰＵＣＣＨ）の伝送に用いられる直交シーケンスの指示情報を取得する取得モジュールと、
前記直交シーケンスの指示情報に対応する直交シーケンスに基づき、周波数ドメインにおいて、前記ＰＵＣＣＨに搭載されたアップリンク制御情報を拡散する拡散モジュールと、
前記ＰＵＣＣＨに対応する周波数ドメインリソースにおいて、前記周波数ドメインにおいて拡散されたアップリンク制御情報を伝送する伝送モジュールとを備え、
前記拡散モジュールは、
0006779286.tif 000062
１データシンボルがマッピングされたＲＥ組のＲＥは、周波数ドメインにおいて分散して分布されることを特徴とするユーザー装置。
【請求項１９】
前記取得モジュールは、
受信した高位層シグナリング及び/またはＵＬ/ＤＬ制御情報ＤＣＩ内のビットフィールドに基づき、ＰＵＣＣＨの伝送に用いられる直交シーケンスの番号を取得するか、
または、
前記ＰＵＣＣＨのチャネルリソース番号に基づき、前記ＰＵＣＣＨに用いられる直交シーケンスの番号を決定し、前記ＰＵＣＣＨのチャネルリソース番号は、高位層シグナリング及び/またはＤＣＩ内のビットフィールドにより通知されることを特徴とする請求項１８に記載のユーザー装置。
【請求項２０】
前記取得モジュールは、
少なくとも、前記ＰＵＣＣＨのチャネルリソース番号及び前記直交シーケンスの長さに基づき、前記ＰＵＣＣＨが所在のサブフレームにおいて用いる直交シーケンスの番号を決定し、
または、
少なくとも、前記ＰＵＣＣＨのチャネルリソース番号、前記直交シーケンスの長さ及び前記ＰＵＣＣＨの所在スロットの番号に基づき、前記ＰＵＣＣＨが所在のサブフレーム内の当該スロットにおいて用いる直交シーケンスの番号を決定し、
または、
少なくとも、前記ＰＵＣＣＨのチャネルリソース番号、前記直交シーケンスの長さ及び前記ＰＵＣＣＨを伝送するシングルキャリア周波数分割多元ＳＣ−ＦＤＭＡシンボルの番号に基づき、前記ＰＵＣＣＨの、所在のサブフレーム内それぞれのスロットにおける当該ＳＣ−ＦＤＭＡシンボル上の対応する直交シーケンスの番号を決定し、
または、
少なくとも、前記ＰＵＣＣＨのチャネルリソース番号、前記直交シーケンスの長さ、前記ＰＵＣＣＨの所在のスロットの番号及び当該スロットにおけるＰＵＣＣＨを伝送するためのＳＣ−ＦＤＭＡシンボルの番号に基づき、前記ＰＵＣＣＨの、所在のサブフレーム内の当該スロットにおける当該ＳＣ−ＦＤＭＡシンボル上の対応する直交シーケンスの番号を決定することを特徴とする請求項１９に記載のユーザー装置。
【請求項２１】
異なるデータシンボルがマッピングされた異なるＲＥ組内のＲＥは、周波数ドメインにおいて、平行分布されるかまたは、交互に分布されることを特徴とする請求項１８に記載のユーザー装置。
【請求項２２】
0006779286.tif 000063
【請求項２３】
サイクリック・シフト値は、高位層シグナリング及び/またはＤＣＩにより通知されるか、または、前記直交シーケンスの番号により決定され、及び/または
前記直交シーケンスの長さはＭで割り切れる正の整数であり、Ｍは、１物理リソースブロック（ＰＲＢ）により占有されたサブキャリアの数であり、Ｍは正の整数であることを特徴とする請求項２２に記載のユーザー装置。
【請求項２４】
前記直交シーケンスは、Ｗａｌｓｈ Ｃｏｄｅ直交シーケンス、ＤＦＴ直交シーケンス及びＤＣＴ直交シーケンスのうちの１つまたは複数を含むことを特徴とする請求項１８から請求項２３までのいずれか１項に記載のユーザー装置。
【請求項２５】
前記拡散モジュールは、
前記ＰＵＣＣＨにより占有されたデータを搭載するそれぞれのＳＣ−ＦＤＭＡシンボルについて、前記ＳＣ−ＦＤＭＡシンボルにおいて伝送するデータシンボルと、前記対応する直交シーケンスにおける対応の直交コードをかけて、前記ＳＣ−ＦＤＭＡシンボル上の対応のＲＥにマッピングすることを特徴とする請求項１８に記載のユーザー装置。
【請求項２６】
前記対応する直交シーケンスの長さは１２であり、前記対応する直交シーケンスは[+１,+１,+１,+１,+１,+１,+１,+１,+１,+１,+１,+１]または[+１,+１,+１,+１,+１,+１,-１,-１,-１,-１,-１,-１]であり、前記ＳＣ−ＦＤＭＡシンボルにおいて伝送する６個のデータシンボルのうちのｉ番目のデータシンボルと、前記対応する直交シーケンス内のi番目及びi+６番目の直交コードをかけて、前記ＳＣ−ＦＤＭＡシンボル上のi番目及びi+６番目のＲＥにそれぞれマッピングすることを特徴とする請求項２５に記載のユーザー装置。
【請求項２７】
物理アップリンク制御チャネル（ＰＵＣＣＨ）に対応する周波数ドメインリソースにおいて前記ＰＵＣＣＨを受信する受信モジュールと、
前記ＰＵＣＣＨに用いられる直交シーケンスの指示情報を決定する決定モジュールと、
前記直交シーケンスの指示情報に対応する直交シーケンスを用いて、周波数ドメインにおいて、前記ＰＵＣＣＨに搭載されたアップリンク制御情報を拡散解消する拡散解消モジュールとを備え、
前記拡散解消モジュールは、
0006779286.tif 000064
１データシンボルがマッピングされたＲＥ組のＲＥは、周波数ドメインにおいて連続して分布されるかまたは分散して分布されることを特徴とする基地局。
【請求項２８】
高位層シグナリング及び/またはＵＬ/ＤＬ制御情報ＤＣＩ内のビットフィールドにより、ユーザー装置にＰＵＣＣＨの伝送に用いられる直交シーケンスの番号を通知し、
または、
高位層シグナリング及び/またはＤＣＩにより、ユーザー装置に前記ＰＵＣＣＨのチャネルリソース番号を通知することにより、前記ユーザー装置に、前記ＰＵＣＣＨのチャネルリソース番号に基づき、前記ＰＵＣＣＨに用いられる直交シーケンスの番号を決定させるようにする通知モジュールをさらに備えることを特徴とする請求項２７に記載の基地局。
【請求項２９】
前記拡散解消モジュールは、
前記ＰＵＣＣＨにより占有されたデータを搭載するそれぞれのＳＣ−ＦＤＭＡシンボルについて、前記ＳＣ−ＦＤＭＡシンボルの対応のＲＥにおいて受信した拡散したデータシンボルと、前記対応する直交シーケンスの共役転置シーケンスをかけて、拡散解消された前記ＳＣ−ＦＤＭＡシンボルにおいて伝送するデータシンボルを得ることを特徴とする請求項２７に記載の基地局。
【請求項３０】
前記対応する直交シーケンスの長さは１２であり、前記対応する直交シーケンスは[+１,+１,+１,+１,+１,+１,+１,+１,+１,+１,+１,+１]または[+１,+１,+１,+１,+１,+１,-１,-１,-１,-１,-１,-１]であり、前記ＳＣ−ＦＤＭＡシンボル上のi番目及びi+６番目のＲＥにおいて受信した拡散したデータシンボルと、前記対応する直交シーケンス内のi番目及びi+６番目の直交コードの共役転置をかけて、拡散解消された前記ＳＣ−ＦＤＭＡシンボルにおいて伝送する６個のデータシンボルのうちのｉ番目のデータシンボルを得ることを特徴とする請求項２７に記載の基地局。
【請求項３１】
異なるデータシンボルがマッピングされた異なるＲＥ組内のＲＥは、周波数ドメインにおいて、平行分布されるかまたは、交互に分布されることを特徴とする請求項２７に記載の基地局。
【請求項３２】
前記受信モジュールは、
0006779286.tif 000065
【請求項３３】
高位層シグナリング及び/またはＤＣＩによりユーザー装置に前記サイクリック・シフト値を通知する通知モジュールをさらに備えることを特徴とする請求項３２に記載の基地局。
【請求項３４】
前記直交シーケンスの長さはＭで割り切れる正の整数であり、Ｍは、１物理リソースブロック（ＰＲＢ）により占有されたサブキャリアの数であり、Ｍは正の整数であり、前記直交シーケンスは、Ｗａｌｓｈ Ｃｏｄｅ直交シーケンス、ＤＦＴ直交シーケンス及びＤＣＴ直交シーケンスのうちの１つまたは複数を含むことを特徴とする請求項２７ないし請求項３２のいずれか１に記載の基地局。
【発明の詳細な説明】
【技術分野】
【０００１】
本出願は、２０１５年９月２５日に中国特許局に提出し、出願番号が２０１５１０６２４９７８.Ｘであり、発明名称が「周波数ドメインにおける拡散・拡散解消方法及び装置」との中国特許出願を基礎とする優先権を主張し、その開示の総てをここに取り込む。
【０００２】
本発明は、無線通信技術分野に関し、特に、周波数ドメインにおける拡散・拡散解消方法及び装置に関する。
【背景技術】
【０００３】
ＬＴＥ-Ａ（ｌｏｎｇ Ｔｅｒｍ Ｅｖｏ１ｕｔｉｏｎ-Ａｄｖａｎｃｅｄ，ＬＴ-Ａ）リリース１３（Ｒｅ１ｅａｓｅ １３， Ｒｅ１ １３と略称）キャリアアグリゲーション（Ｃａｒｒｉｅｒ Ａｇｇｒｅｇａｔｉｏｎ，ＣＡ）システムは、最大３２キャリアアグリゲーションをサポートする。アグリゲーションキャリア数の増加と伴い、端末によるフィードバックするＡＣＫ（ＡＣＫｎｏｗ１ｅｄｇｅｍｅｎｔ，ＡＣＫ）/ＮＡＣＫ（Ｎｏｎ-ＡＣＫｎｏｗ１ｅｄｇｅｍｅｎｔ，ＮＡＣＫ）も著しく増加する。現在、キャパシティがより大きい物理アップリンク制御チャネル（Ｐｈｙｓｉｃａ１ Ｕｐ１ｉｎｋ Ｃｏｎｔｒｏ１ Ｃｈａｎｎｅ１，ＰＵＣＣＨ）新フォーマットを用いてより多いアップリンク制御情報（Ｕｐ１ｉｎｋ Ｃｏｎｔｒｏ１ Ｉｎｆｏｒｍａｔｉｏｎ，ＵＣＩ）を搬送する。
【０００４】
物理アップリンク共有チャネル（Ｐｈｙｓｉｃａ１ Ｕｐ１ｉｎｋ Ｓｈａｒｅｄ Ｃｈａｎｎｅ１，ＰＵＳＣＨ）構成をベースとしたＰＵＣＣＨ新フォーマット（ｎｅｗ ＰＵＣＣＨ ｆｏｒｍａｔ）は、より多いビットコード及び変調シンボルを搬送することができ、理論的に、５つのキャリアアグリゲーションを超える場合のマルチビットＡＣＫ/ＮＡＣＫのフィードバックをサポートすることができる。
【０００５】
しかし、どのように、ｎｅｗ ＰＵＣＣＨ ｆｏｒｍａｔのＰＵＣＣＨを拡散することにより、物理リソースブロック（Ｐｈｙｓｉｃａ１ Ｒｅｓｏｕｒｃｅ Ｂ１ｏｃｋ，ＰＲＢ）において多重化するユーザーを増加して、ＰＵＣＣＨリソースオーバーヘッドを低減することは、まだ案出できていない。
【発明の概要】
【発明が解決しようとする課題】
【０００６】
本発明に係る実施例は、周波数ドメインにおける拡散・拡散解消方法及び装置を提供し、周波数ドメインにおいてＰＵＣＣＨに搭載されたアップリンク制御情報を拡散する。
【課題を解決するための手段】
【０００７】
本発明の実施例に係る周波数ドメインにおける拡散及び伝送方法は、
ユーザー装置は、物理アップリンク制御チャネル（ＰＵＣＣＨ）の伝送に用いられる直交シーケンスの指示情報を取得するステップと、
前記ユーザー装置は、前記直交シーケンスの指示情報に対応する直交シーケンスに基づき、周波数ドメインにおいて、前記ＰＵＣＣＨに搭載されたアップリンク制御情報を拡散するステップと、
前記ユーザー装置は、前記ＰＵＣＣＨに対応する周波数ドメインリソースにおいて、前記周波数ドメインにおいて拡散されたアップリンク制御情報を伝送するステップとを備える。
【０００８】
本発明の実施例に係る周波数ドメインにおける拡散解消方法は、
基地局は、物理アップリンク制御チャネル（ＰＵＣＣＨ）に対応する周波数ドメインリソースにおいて、前記ＰＵＣＣＨを受信するステップと、
前記基地局は、前記ＰＵＣＣＨに用いられる直交シーケンスの指示情報を決定するステップと、
前記基地局は、前記直交シーケンスの指示情報に対応する直交シーケンスを用いて、周波数ドメインにおいて、前記ＰＵＣＣＨに搭載されたアップリンク制御情報を拡散解消するステップとを備える。
【０００９】
本発明の実施例に係るユーザー装置は、
物理アップリンク制御チャネル（ＰＵＣＣＨ）の伝送に用いられる直交シーケンスの指示情報を取得する取得モジュールと、
前記直交シーケンスの指示情報に対応する直交シーケンスに基づき、周波数ドメインにおいて、前記ＰＵＣＣＨに搭載されたアップリンク制御情報を拡散する拡散モジュールと、
前記ＰＵＣＣＨに対応する周波数ドメインリソースにおいて、前記周波数ドメインにおいて拡散されたアップリンク制御情報を伝送する伝送モジュールとを備える。
【００１０】
本発明の実施例に係る基地局は、
物理アップリンク制御チャネル（ＰＵＣＣＨ）に対応する周波数ドメインリソースにおいて前記ＰＵＣＣＨを受信する受信モジュールと、
前記ＰＵＣＣＨに用いられる直交シーケンスの指示情報を決定する決定モジュールと、
前記直交シーケンスの指示情報に対応する直交シーケンスを用いて、周波数ドメインにおいて、前記ＰＵＣＣＨに搭載されたアップリンク制御情報を拡散解消する拡散解消モジュールとを備える。
【００１１】
本発明の実施例に係るユーザー装置は、
メモリに格納されたプログラムを読み出すプロセッサと、プロセッサの制御により、データを送受信する送受信機とを備え、
前記プロセッサは、物理アップリンク制御チャネル（ＰＵＣＣＨ）の伝送に用いられる直交シーケンスの指示情報を取得し、
前記直交シーケンスの指示情報に対応する直交シーケンスに基づき、周波数ドメインにおいて、前記ＰＵＣＣＨに搭載されたアップリンク制御情報を拡散し、
送受信機により、前記ＰＵＣＣＨに対応する周波数ドメインリソースにおいて、前記周波数ドメインにおいて拡散されたアップリンク制御情報を伝送する。
【００１２】
本発明の実施例に係る基地局は、
メモリに格納されたプログラムを読み出すプロセッサと、プロセッサの制御により、データを送受信する送受信機とを備え、
前記プロセッサは、送受信機により、物理アップリンク制御チャネル（ＰＵＣＣＨ）に対応する周波数ドメインリソースにおいて前記ＰＵＣＣＨを受信し、
前記ＰＵＣＣＨに用いられる直交シーケンスの指示情報を決定し、
前記直交シーケンスの指示情報に対応する直交シーケンスを用いて、周波数ドメインにおいて、前記ＰＵＣＣＨに搭載されたアップリンク制御情報を拡散解消する。
【発明の効果】
【００１３】
本発明の上述の実施例によれば、ユーザー装置は、ＰＵＣＣＨに用いられる直交シーケンスの情報を受信し、前記直交シーケンスの指示情報に対応する直交シーケンスに基づき周波数ドメインにおいて、ＰＵＣＣＨに搭載されたアップリンク制御情報を拡散し、当該ＰＵＣＣＨに対応する周波数ドメインリソースにおいて前記アップリンク制御情報を伝送することにより、周波数ドメインにおいてＰＵＣＣＨを拡散し、ＰＲＢにおける多重化するユーザーを増やし、ＰＵＣＣＨリソースのオーバーヘッドを低減する。
【図面の簡単な説明】
【００１４】
本発明に係る実施例の技術案をより明確に説明するため、以下、実施例の説明に用いられる図面を簡約に説明する。以下説明する図面は、本本発明の一部の実施例にすぎず、本分野の当業者にとって、創造力を発揮しなくても、これらの図面により他の図面を取得できることは明らかてある。
【図１】従来技術中５つのキャリアアグリゲーションを超えるフィードバック情報を搭載するＰＵＣＣＨ新フォーマットを示す図である。
【図２】本発明の実施例に係る周波数ドメインにおける拡散・伝送のフローチャートである。
【図３ａ】本発明に係る実施例のシナリオ１場合の周波数ドメインにおける拡散・マッピングを示す図である。
【図３ｂ】本発明に係る実施例のシナリオ１場合の周波数ドメインにおける拡散・マッピングを示す図である。
【図３ｃ】本発明に係る実施例のシナリオ１場合の周波数ドメインにおける拡散・マッピングを示す図である。
【図４ａ】本発明に係る実施例シナリオ２場合の周波数ドメインにおける拡散・マッピングを示す図である。
【図４ｂ】本発明に係る実施例シナリオ２場合の周波数ドメインにおける拡散・マッピングを示す図である。
【図５ａ】本発明に係る実施例シナリオ３場合の周波数ドメインにおける拡散・マッピングを示す図である。
【図５ｂ】本発明に係る実施例シナリオ３場合の周波数ドメインにおける拡散・マッピングを示す図である。
【図５ｃ】本発明に係る実施例シナリオ３場合の周波数ドメインにおける拡散・マッピングを示す図である。
【図５ｄ】本発明に係る実施例シナリオ３場合の周波数ドメインにおける拡散・マッピングを示す図である。
【図６ａ】本発明に係る実施例シナリオ４場合の周波数ドメインにおける拡散・マッピングを示す図である。
【図６ｂ】本発明に係る実施例シナリオ４場合の周波数ドメインにおける拡散・マッピングを示す図である。
【図６ｃ】本発明に係る実施例シナリオ４場合の周波数ドメインにおける拡散・マッピングを示す図である。
【図６ｄ】本発明に係る実施例シナリオ４場合の周波数ドメインにおける拡散・マッピングを示す図である。
【図７】本発明に係る実施例において異なる長さの直交シーケンスをもちいて周波数ドメインにおける拡散（ｆｒｅｑｕｅｎｃｙ ｄｏｍａｉｎ ｓｐｒｅａｄｉｎｇ）を行うＰＵＣＣＨのリソースの割り当てを示す図である。
【図８】本発明の実施例に係る周波数ドメインにおける拡散解消（ｆｒｅｑｕｅｎｃｙ ｄｏｍａｉｎ ｄｅ−ｓｐｒｅａｄｉｎｇ）・伝送のフローチャートである。
【図９】本発明に係るユーザー装置の構造図である。
【図１０】本発明の他の実施例に係るユーザー装置の構造図である。
【図１１】本発明の実施例に係る基地局の構造図である。
【図１２】本発明のたの実施例に係る基地局の構造図である。
【発明を実施するための形態】
【００１５】
背景技術において説明したように、以前のリリースにおいて定義したＡＣＫ/ＮＡＣＫを伝送するＰＵＣＣＨフォーマット（ｆｏｒｍａｔ）は、より多いＡＣＫ/ＮＡＣＫフィードバックビットを伝送するニーズに応じられなくなったため、キャパシティがより大きいＰＵＣＣＨ新フォーマットが現れた。図１はＰＵＣＣＨ新フォーマットの構成を示した。Ｄｉは、ｉ番目のシンボルシーケンスを示し、ＰＵＣＣＨ新フォーマットが周波数ドメインにおいて、１個のみのＰＲＢにより伝送される場合、Ｄｉごとに１２個のシンボルが含まれ、それぞれ１つのシングルキャリア周波数分割多元接続（Ｓｉｎｇｌｅ Ｃａｒｒｉｅｒ−Ｆｒｅｑｕｅｎｃｙ Ｄｉｖｉｓｉｏｎ Ｍｕｌｔｉｐｌｅ Ａｃｃｅｓｓ，ＳＣ−ＦＤＭＡ）シンボル内の１２個のサブキャリアにマッピングされる。１個のみのＰＲＢを占有してＰＵＣＣＨを伝送することを前提とし、ノーマルサイクリック・プレフィックス（Ｃｙｃｌｉｃ Ｐｒｅｆｉｘ，ＣＰ）の場合、１スロットにパイロットのためのシンボルがただ１つのみがあり、また、ＱＰＳＫ（Ｑｕａｄｒａｔｕｒｅ Ｐｈａｓｅ−Ｓｈｉｆｔ Ｋｅｙｉｎｇ）変調スキームを採用すると仮定する場合、当該ＰＵＣＣＨ新フォーマットは、２８８ビットエンコードされた情報を搭載（ｃａｒｒｙ）することができ、即ち、１４４個の変調シンボルを搭載することができる。
【００１６】
ユーザー装置がいつも３２個のキャリアをアグリゲーションするわけではなく、また、ユーザー装置に用いられたシングル伝送ブロック（Ｔｒａｎｓｐｏｒｔ Ｂｌｏｃｋ，ＴＢ）またはマルチＴＢ伝送モードが変化する可能性もあり、さらに、ユーザー装置において実際にスケジューリングするキャリア数はいつも設定されたキャリア数より小さいか等しくで、ユーザー装置は、異なる設定状況及び異なるサブフレームにおけるＡＣＫ/ＮＡＣＫフィードバックビット数は、相違する。ＰＵＣＣＨ新フォーマットがマルチキャリア周期チャネル状態情報（Ｃｈａｎｎｅｌ Ｓｔａｔｅ Ｉｎｆｏｒｍａｔｉｏｎ，ＣＳＩ）の伝送に用いられる場合、ＣＳＩは、クティブキャリアのみに対してフィードバックし、アクティブキャリア数が一定の時間後に変更し、また、周期ＣＳＩの報告モードの相違により、そのフィードバックビット数も異なる。よって、異なる設定状況及び異なるサブフレームにおける周期ＣＳＩビット数も異なる。ＡＣＫ/ＮＡＣＫ及び周期ＣＳＩがともにＰＵＣＣＨ新フォーマットで伝送することをサポートする場合、周期ＣＳＩがサブフレームごとに存在するわけではなく、また、アクティブキャリア数及び周期ＣＳＩの報告モードに応じて周期ＣＳＩフィードバックビット数も異なるため、異なる設定状況及び異なるサブフレームにおけるＵＣＩビット総数も異なる。上述の状況において、いつも２８８個のコードビットで伝送され、異なるＡＣＫ/ＮＡＣＫフィードバックビット数または異なるＵＣＩフィードバックビット数の場合、コードレートが異なり、コードレートに大きい冗長がある。例えば、１４４ビットＵＣＩ（ＡＣＫ/ＮＡＣＫまたは周期ＣＳＩまたはＡＣＫ/ＮＡＣＫと周期ＣＳＩのビット総数）の場合、コードレートが１/２であり、９６ビットＵＣＩの場合、コードレートが１/３であり、７２ビットＵＣＩの場合コードレートが１/４である。コードレートが小さい場合、伝送性能を超えたため、コード冗長伝送が発生され、伝送効率が低減される。
【００１７】
目下、５個のキャリアアグリゲーションを超える場合のマルチビットＡＣＫ/ＮＡＣＫフィードバックをどのようにサポートするのかは、まだ案出されていない。１つのＰＲＢにおいてユーザーがキャパシティを多重化するため効率を向上する視点によれば、タイム・ドメインにおいて拡散して伝送すると、ノーマルＣＰ及び拡張ＣＰ、及びｎｏｒｍａｌ ＰＵＣＣＨ ｆｏｒｍａｔと短縮（ｓｈｏｒｔｅｎｅｄ）ＰＵＣＣＨ ｆｏｒｍａｔ（即ち、最後１つのシンボルはＳＲＳのために保留されて、データを伝送しない。ここで、ＳＲＳはＳｏｕｎｄｉｎｇ ｒｅｆｅｒｅｎｃｅ Ｓｉｇｎａｌの略称）に含まれるデータを搭載するシンボル数が異なるため、同一のタイム・ドメインにおける拡散設計を採用することができない。ＰＵＣＣＨ新フォーマットの場合、周波数ドメインにおける利用可能ＲＥ数が一定の数であるため、同一の拡散案を採用することができる。
【００１８】
上述のように考慮すると、本発明に係る実施例は、周波数ドメインにおける拡散案及び対応の拡散解消案を提供する。周波数ドメインにおいて、ＰＵＣＣＨ新フォーマットのデータを搭載するシンボルに対応する直交シーケンスを拡散し、ＰＵＣＣＨにおけるパイロットを搭載するシンボル内のパイロット情報を、サイクリック・シフト間隔がΔであるサイクリック・シフトすることにより、ＰＵＣＣＨにより占有されたＰＲＢ内多重化伝送するための複数のユーザー装置をサポートする。
【００１９】
0006779286.tif 000002
【００２０】
0006779286.tif 000003
【００２１】
0006779286.tif 000004
【００２２】
（二）直交シーケンスとＳＣ−ＦＤＭＡシンボルの関係
好ましくは、データを伝送するためのＳＣ−ＦＤＭＡシンボルに対応する直交シーケンス（データを伝送するためのＳＣ−ＦＤＭＡシンボルはリファレンス信号を伝送するためのＳＣ−ＦＤＭＡシンボルに対するものである）は、以下のように規定される。
【００２３】
0006779286.tif 000005
【００２４】
（三）直交シーケンスのタイプ
本発明に係る実施例において、直交シーケンスは、Ｗａｌｓｈ Ｃｏｄｅ直交シーケンス、ＤＦＴ（Ｄｉｓｃｒｅｔｅ Ｆｏｕｒｉｅｒ Ｔｒａｎｓｆｏｒｍ）直交シーケンス、ＤＣＴ（Ｄｉｓｃｒｅｔｅ Ｃｏｓｉｎｅ Ｔｒａｎｓｆｏｒｍ）直交シーケンス中の１つまたは複数であり、他の直交シーケンスも排除しない。
【００２５】
0006779286.tif 000006
【００２６】
0006779286.tif 000007
【００２７】
0006779286.tif 000008
【００２８】
0006779286.tif 000009
【００２９】
0006779286.tif 000010
【００３０】
0006779286.tif 000011
【００３１】
0006779286.tif 000012
【００３２】
0006779286.tif 000013
【００３３】
説明すべきのは、上述の表１ないし表４に示す対応関係は、例にすぎず、対応の順番を変更する等のような他の対応関係も排除しない。
【００３４】
以下、図面を参照しながら、本発明の実施例に係る周波数ドメインにおける拡散伝送流れを詳細に説明する。
【００３５】
図２は本発明の実施例に係る周波数ドメインにおける拡散・伝送のフローチャートであり、当該フローチャートは、ユーザー装置において執行される。
【００３６】
図２に示すように、当該フローチャートは、ステップ２０１ないしステップ２０３を備える。
【００３７】
ステップ２０１において、ユーザー装置は、ＰＵＣＣＨの伝送に用いられる直交シーケンスの指示情報を取得する。
【００３８】
ここで、当該ＰＵＣＣＨフォーマットは、定義された５つのキャリアのアグリゲーションを超えるＵＣＩフィードバック情報を搭載するＰＵＣＣＨフォーマットであることができ、例えば、ＰＵＳＣＨ構成に基づくＰＵＣＣＨ新フォーマット（ｎｅｗ ＰＵＣＣＨ ｆｏｍｒａｔ）であるか、または、ｆｏｒｍａｔ３構成に基づくＰＵＣＣＨ新フォーマットである。
【００３９】
ＰＵＣＣＨを伝送する直交シーケンスの指示情報は、前記直交シーケンスの番号であることができる。
【００４０】
ＰＵＣＣＨの伝送に用いられる直交シーケンスは、一定の範囲において、同一であることができ、くわしくは、以下通りである。
【００４１】
0006779286.tif 000014
0006779286.tif 000015
【００４２】
前記直交シーケンスの指示情報が前記直交シーケンスの番号である例を上げ、本発明に係る実施例は、前記直交シーケンスの番号を通知する幾つかのスキームを提示し、以下、詳しく説明する。
【００４３】
＜通知スキーム １＞高位層シグナリングにより通知を示す。
【００４４】
前記直交シーケンスの番号は、高位層シグナリング、例えば無線リソース制御（Ｒａｄｉｏ Ｒｅｓｏｕｒｓｅ Ｃｏｎｔｒｏｌ，ＲＲＣ）シグナリングにより通知される。これに応じて、ユーザー装置は、受信した高位層シグナリングにより、ＰＵＣＣＨの伝送に用いられる直交シーケンスの番号を取得する。
【００４５】
＜通知スキーム ２＞ＵＬ/ＤＬ制御情報により通知を示す。
【００４６】
前記直交シーケンスの番号は、ＵＬ/ＤＬ制御情報のビットフィールドにより通知され、例えば、物理ＵＬ/ＤＬ制御チャネル（Ｐｈｙｓｉｃａｌ Ｄｏｗｎｌｉｎｋ Ｓｈａｒｅｄ Ｃｈａｎｎｅｌ，ＰＤＣＣＨ）、または、強化型物理ＵＬ/ＤＬ制御チャネル（Ｅｎｈａｎｃｅｄ ＰＤＣＣＨ， ＥＰＤＣＣＨ）に搭載されたＵＬ/ＤＬ制御情報（Ｄｏｗｎｌｉｎｋ Ｃｏｎｔｒｏｌ Ｉｎｆｏｒｍａｔｉｏｎ，ＤＣＩ）内の特定ビットフィールドには、前記直交シーケンスの番号または当該番号の指示情報が搭載されることができる。これに応じて、ユーザー装置は、受信したＵＬ/ＤＬ制御情報内のビットフィールドにより、ＰＵＣＣＨの伝送に用いられる直交シーケンスの番号を取得することができる。
【００４７】
＜通知スキーム ３＞高位層シグナリング及びＵＬ/ＤＬ制御情報により通知を示す。
【００４８】
高位層シグナリングにより、少なくとも２つの直交シーケンスの番号が含まれ含まれる番号集合を予め設置し、前記直交シーケンスの番号は、ＵＬ/ＤＬ制御情報内のビットフィールドにより通知された、当該予め設定された番号集合内の１つ番号である。
【００４９】
＜通知スキーム ４＞ＰＵＣＣＨのチャネルリソース番号により暗黙的に通知される。
【００５０】
この主のスキームにおいて、ユーザー装置は、ＰＵＣＣＨのチャネルリソース番号により、当該ＰＵＣＣＨに用いられる直交シーケンスの番号を決定することができる。即ち、前記直交シーケンスの番号は、ネットワーク側によりを直接に通知されるものではなく、ユーザー装置が、ＰＵＣＣＨのチャネルリソース番号により、約定された規則またはアルゴリズムに基づいて算出されたものである。本発明に係る実施例には、ＰＵＣＣＨに用いられる直交シーケンスの番号を決定するに用いられる下記の幾つかの規則を例示する。
【００５１】
＜規則１＞少なくとも、ＰＵＣＣＨのチャネルリソース番号及び当該ＰＵＣＣＨに用いられる直交シーケンスの長さに基づき、当該ＰＵＣＣＨが位置するサブフレームに用いられる直交シーケンスの番号を決定する。
【００５２】
0006779286.tif 000016
【００５３】
ここで、ｍｏｄは余りを求めることを示す。このような規則は、１サブフレームにおいて、データを伝送するための全部のＳＣ−ＦＤＭＡシンボル上の対応する直交シーケンスの番号が同一であるシナリオに適用できる。
【００５４】
＜規則２＞少なくとも、ＰＵＣＣＨのチャネルリソース番号、当該ＰＵＣＣＨに用いられる直交シーケンスの長さ及び当該ＰＵＣＣＨが位置するスロットの番号に基づき、当該ＰＵＣＣＨの所在サブフレームにおける当該スロットに用いられる直交シーケンスの番号を決定する。
【００５５】
0006779286.tif 000017
0006779286.tif 000018
【００５６】
＜規則３＞少なくとも、ＰＵＣＣＨのチャネルリソース番号、当該ＰＵＣＣＨに用いられる直交シーケンスの長さ及び当該ＰＵＣＣＨ伝送に用いられるＳＣ−ＦＤＭＡシンボルの番号に基づき、当該ＰＵＣＣＨ所在のサブフレームにおけるスロットごとに当該ＳＣ−ＦＤＭＡシンボル上の対応する直交シーケンスの番号を決定する。
【００５７】
0006779286.tif 000019
【００５８】
＜規則４＞少なくとも、ＰＵＣＣＨのチャネルリソース番号、当該ＰＵＣＣＨに用いられる直交シーケンスの長さ、当該ＰＵＣＣＨ所在のスロットの番号及び当該スロットにおけるＰＵＣＣＨを伝送するためのＳＣ−ＦＤＭＡシンボルの番号に基づき、当該ＰＵＣＣＨ所在のサブフレームの当該スロットにおける当該ＳＣ−ＦＤＭＡシンボル上の対応の直交シーケンスの番号を決定する。
【００５９】
0006779286.tif 000020
【００６０】
ここで、ＰＵＣＣＨのチャネルリソース番号はＤＣＩにより通知され、例えば、ＤＣＩ内の特定ビットフィールドによりＰＵＣＣＨのチャネルリソース番号を示す。ＰＵＣＣＨのチャネルリソース番号は、高位層シグナリングにより通知されることもでき、例えば、高位層シグナリング内の特定ビットフィールドにより、ＰＵＣＣＨのチャネルリソース番号を示す。ＰＵＣＣＨのチャネルリソース番号は、ＤＣＩ及び高位層シグナリングにより共同に通知され、例えば、ネットワーク側は、高位層シグナリングにより、ユーザー装置のためにＰＵＣＣＨのチャネルリソース番号集合を予めに設定し、当該集合には少なくとも２つのチャネルリソース番号組が含まられ、組ごとに少なくとも１つのチャネルリソース番号が含まれ、ネットワーク側は、ＤＣＩに含まれるビットフィールドにより、ユーザー装置に、当該集合内の１つのチャネルリソース番号組を示す。
【００６１】
ステップ２０２において、ユーザー装置は、前記直交シーケンスの指示情報に対応する直交シーケンスに基づき、周波数ドメインにおいて、前記ＰＵＣＣＨに搭載されたアップリンク制御情報を拡散する。
【００６２】
0006779286.tif 000021
【００６３】
0006779286.tif 000022
【００６４】
0006779286.tif 000023
【００６５】
0006779286.tif 000024
【００６６】
0006779286.tif 000025
0006779286.tif 000026
【００６７】
0006779286.tif 000027
【００６８】
さらに、１ＲＥ組において、隣接する２つのＲＥの周波数ドメインにおける間隔が同様であれば、いずれのＲＥ組内の隣接するＲＥの周波数ドメインにおける間隔が他の１ＲＥ組内の隣接するＲＥの周波数ドメインにおける間隔と同様であるか、または、少なくとも１つのＲＥ組内の隣接する２つのＲＥ間の間隔が他のＲＥ組内の隣接する２つのＲＥ間の間隔は異なる。
【００６９】
さらに、異なるデータシンボルがマッピングされたＲＥ組について、異なるＲＥ組内のＲＥは、周波数ドメインにおいて、交互に分布するか、平行分布（即ち、異なるＲＥ組内のＲＥは、周波数ドメインにおける分布は交互しない）する。
【００７０】
0006779286.tif 000028
【００７１】
0006779286.tif 000029
【００７２】
当該例には、１ＰＲＢ内のマッピングを示す。当該ＰＲＢは、周波数ドメインにおいて１２個のサブキャリアを占有し、タイム・ドメインにおいて１スロットを占有する。ノーマルサイクリック・プレフィックス（Ｃｙｃｌｉｃ Ｐｒｅｆｉｘ，ＣＰ）をガード間隔とする例におて、１タイム・ドメインに７個のＳＣ−ＦＤＭＡシンボルがあり、１スロットに１列のパイロットシンボルのみがある。説明の便宜を図るため、当該ＰＲＢにおいて、周波数の小大順により、１ＳＣ−ＦＤＭＡシンボル内のＲＥをＲＥ０ーＲＥ１１と称する。
【００７３】
当該例において、直交シーケンス[ｗ１,ｗ２]それぞれをもちいて、ＰＵＣＣＨの６組のデータシンボル（図にはＤ１―Ｄ６と示す）を周波数ドメインにおいて拡散し、拡散したデータシンボルをリソースにマッピングする。ここで、各々組のデータシンボルＤｉには、１スロット内の６個のデータを搭載するＳＣ−ＦＤＭＡシンボルにおいて伝送する６個の、データシンボルが含まれる、各々組のデータシンボルＤｉに含まれるそれぞれのデータシンボルｄi,１に対応する直交シーケンスは異なる場合、各々ｄi,１に対し、当該ｄi,１に対応するそれぞれの直交シーケンスを用いて、周波数ドメインにおいて拡散する。拡散したデータを当該ｄi,１に対応するＳＣ−ＦＤＭＡシンボル上の対応のＲＥにマッピングする。ここで、ｄi,１は、Ｄｉに含まれる、ＳＣ−ＦＤＭＡシンボル番号が１であるＳＣ−ＦＤＭＡシンボルにおいて伝送するデータシンボルを示す。
【００７４】
図３ａに示すように、Ｄ１に含まれる、データを搭載する１番目のＳＣ−ＦＤＭＡシンボルにて伝送するデータシンボルは、長さが２である周波数ドメインにおいて拡散された後、データを搭載する１番目のＳＣ−ＦＤＭＡシンボルにおける{ＲＥ０, ＲＥ１}にマッピングされる。Ｄ２に含まれる、データを搭載する１番目のＳＣ−ＦＤＭＡシンボルにて伝送するデータシンボルは、長さが２である周波数ドメインにおいて拡散された後、データを搭載する１番目のＳＣ−ＦＤＭＡシンボルにおける{ＲＥ２, ＲＥ３}にマッピングされる。Ｄ３に含まれる、データを搭載する１番目のＳＣ−ＦＤＭＡシンボルにて伝送するデータシンボルは、長さが２である周波数ドメインにおいて拡散された後、データを搭載する１番目のＳＣ−ＦＤＭＡシンボルにおける{ＲＥ４, ＲＥ５}にマッピングされ、このように、データを搭載する１番目のＳＣ−ＦＤＭＡシンボルにおける、拡散したデータのマッピングを完成する。同様に、Ｄ１に含まれる、データを搭載する２番目のＳＣ−ＦＤＭＡシンボルにて伝送するデータシンボルは、長さが２である周波数ドメインにおいて拡散された後、データを搭載する２番目のＳＣ−ＦＤＭＡシンボルにおける{ＲＥ０, ＲＥ１}にマッピングされる。Ｄ２に含まれる、データを搭載する２番目のＳＣ−ＦＤＭＡシンボルにて伝送するデータシンボルは、長さが２である周波数ドメインにおいて拡散された後、データを搭載する２番目のＳＣ−ＦＤＭＡシンボルにおける{ＲＥ２, ＲＥ３}にマッピングされる。Ｄ３に含まれる、データを搭載する２番目のＳＣ−ＦＤＭＡシンボルにて伝送するデータシンボルは、長さが２である周波数ドメインにおいて拡散された後、データを搭載する２番目のＳＣ−ＦＤＭＡシンボルにおける{ＲＥ４, ＲＥ５}にマッピングされる。このように、データを搭載する２番目のＳＣ−ＦＤＭＡシンボル上の拡散したデータマッピングを完成し、このように、データを搭載するそれぞれＳＣ−ＦＤＭＡシンボル上の拡散したデータマッピング完成する。また、１データシンボルがマッピングされた２個のＲＥは、周波数ドメインにおいて連続しており、異なるデータシンボルがマッピングされたＲＥ組は、周波数ドメインにおいて交互しない（即ち、平行する）。
【００７５】
図３ｂに示すように、Ｄ１に含まれる、データを搭載する１番目のＳＣ−ＦＤＭＡシンボルにて伝送するデータシンボルは、長さが２である周波数ドメインにおいて拡散された後、データを搭載する１番目のＳＣ−ＦＤＭＡシンボルにおける{ＲＥ０, ＲＥ６}にマッピングされる。Ｄ２に含まれる、データを搭載する１番目のＳＣ−ＦＤＭＡシンボルにて伝送するデータシンボルは、長さが２である周波数ドメインにおいて拡散された後、データを搭載する１番目のＳＣ−ＦＤＭＡシンボルにおける{ＲＥ１, ＲＥ７}にマッピングされる。Ｄ３に含まれる、データを搭載する１番目のＳＣ−ＦＤＭＡシンボルにて伝送するデータシンボルは、長さが２である周波数ドメインにおいて拡散された後、データを搭載する１番目のＳＣ−ＦＤＭＡシンボルにおける{ＲＥ２, ＲＥ８}にマッピングされる。このように、データを搭載する１番目のＳＣ−ＦＤＭＡシンボル上の拡散したデータのマッピングを完成する。同様に、Ｄ１に含まれる、データを搭載する２番目のＳＣ−ＦＤＭＡシンボルにて伝送するデータシンボルは、長さが２である周波数ドメインにおいて拡散された後、データを搭載する２番目のＳＣ−ＦＤＭＡシンボルにおける{ＲＥ０, ＲＥ６}にマッピングされる。Ｄ２に含まれる、データを搭載する２番目のＳＣ−ＦＤＭＡシンボルにて伝送するデータシンボルは、長さが２である周波数ドメインにおいて拡散された後、データを搭載する２番目のＳＣ−ＦＤＭＡシンボルにおける{ＲＥ１, ＲＥ７}にマッピングされる。Ｄ３に含まれる、データを搭載する２番目のＳＣ−ＦＤＭＡシンボルにて伝送するデータシンボルは、長さが２である周波数ドメインにおいて拡散された後、データを搭載する２番目のＳＣ−ＦＤＭＡシンボルにおける{ＲＥ２, ＲＥ８}にマッピングされる。このように、データを搭載する２番目のＳＣ−ＦＤＭＡシンボル上の拡散したデータのマッピングを完成する。さらに、このように、データを搭載するそれぞれＳＣ−ＦＤＭＡシンボル上の拡散したデータのマッピングを完成する。１データシンボルがマッピングされた２個のＲＥが周波数ドメインにおいて分散して分布され、異なるデータシンボルがマッピングされた２つのＲＥの周波数ドメインにおける間隔が６個のＲＥであり、異なるデータシンボルがマッピングされたＲＥ組が周波数ドメインにおいて交互になっている。
【００７６】
0006779286.tif 000030
0006779286.tif 000031
【００７７】
0006779286.tif 000032
【００７８】
図３ｃに示すように、Ｄ１に含まれる、データを搭載する１番目のＳＣ−ＦＤＭＡシンボルにて伝送するデータシンボルは、長さが２である周波数ドメインにおいて拡散された後、データを搭載する１番目のＳＣ−ＦＤＭＡシンボルにおける{ＲＥ０, ＲＥ１１}にマッピングされる。Ｄ２に含まれる、データを搭載する１番目のＳＣ−ＦＤＭＡシンボルにて伝送するデータシンボルは、長さが２である周波数ドメインにおいて拡散された後、データを搭載する１番目のＳＣ−ＦＤＭＡシンボルにおける{ＲＥ１, ＲＥ１０}にマッピングされる。Ｄ３に含まれる、データを搭載する１番目のＳＣ−ＦＤＭＡシンボルにて伝送するデータシンボルは、長さが２である周波数ドメインにおいて拡散された後、データを搭載する１番目のＳＣ−ＦＤＭＡシンボルにおける{ＲＥ２, ＲＥ９}にマッピングされる。このように、データを搭載する１番目のＳＣ−ＦＤＭＡシンボル上の拡散したデータのマッピングを完成する。同様に、Ｄ１に含まれる、データを搭載する２番目のＳＣ−ＦＤＭＡシンボルにて伝送するデータシンボルは、長さが２である周波数ドメインにおいて拡散された後、データを搭載する２番目のＳＣ−ＦＤＭＡシンボルにおける{ＲＥ０, ＲＥ１１}にマッピングされる。Ｄ２に含まれる、データを搭載する２番目のＳＣ−ＦＤＭＡシンボルにて伝送するデータシンボルは、長さが２である周波数ドメインにおいて拡散された後、データを搭載する２番目のＳＣ−ＦＤＭＡシンボルにおける{ＲＥ１, ＲＥ１０}にマッピングされる。Ｄ３に含まれる、データを搭載する２番目のＳＣ−ＦＤＭＡシンボルにて伝送するデータシンボルは、長さが２である周波数ドメインにおいて拡散された後、データを搭載する２番目のＳＣ−ＦＤＭＡシンボルにおける{ＲＥ２, ＲＥ９}にマッピングされる。このように、データを搭載する２番目のＳＣ−ＦＤＭＡシンボル上の拡散したデータのマッピングを完成する。さらに、このように、データを搭載するそれぞれＳＣ−ＦＤＭＡシンボル上の拡散したデータのマッピングを完成する。１データシンボルがマッピングされた２個のＲＥが周波数ドメインにおいて分散して分布され、かつ、異なるデータシンボルがマッピングされた２つのＲＥの周波数ドメインにおける間隔が異なり、異なるデータシンボルがマッピングされたＲＥ組が周波数ドメインにおいて交互になっている。
【００７９】
0006779286.tif 000033
【００８０】
0006779286.tif 000034
【００８１】
当該例において、直交シーケンス[ｗ１,ｗ２,ｗ３]それぞれを用いて、ＰＵＣＣＨの４組データシンボル（図面におけるＤ１―Ｄ４）を周波数ドメインにおいて拡散され、拡散したデータシンボルをリソースにマッピングする。ここで、各々組のデータシンボルＤｉには、１スロット内の６個のデータを搭載するＳＣ−ＦＤＭＡシンボルにおいて伝送する６個の、データシンボルが含まれる、各々組のデータシンボルＤｉに含まれるそれぞれのデータシンボルｄi,１に対応する直交シーケンスは異なる場合、各々ｄi,１に対し、当該ｄi,１に対応する直交シーケンスをそれぞれ用いて周波数ドメインにおいて拡散し、拡散したデータを当該ｄi,１に対応するＳＣ−ＦＤＭＡシンボル上の対応のＲＥにマッピングする。ここで、ｄi,１は、Ｄｉに含まれる、ＳＣ−ＦＤＭＡシンボル番号が１であるＳＣ−ＦＤＭＡシンボルにおいて伝送するデータシンボルを示す。
【００８２】
図４ａに示すように、Ｄ１に含まれる、データを搭載する１番目のＳＣ−ＦＤＭＡシンボルにて伝送するデータシンボルは、長さが３である周波数ドメインにおいて拡散された後、データを搭載する１番目のＳＣ−ＦＤＭＡシンボルにおける{ＲＥ０, ＲＥ１, ＲＥ２}にマッピングされる。Ｄ２に含まれる、データを搭載する１番目のＳＣ−ＦＤＭＡシンボルにて伝送するデータシンボルは、長さが３である周波数ドメインにおいて拡散された後、データを搭載する１番目のＳＣ−ＦＤＭＡシンボルにおける{ＲＥ３, ＲＥ４, ＲＥ５}にマッピングされる。Ｄ３に含まれる、データを搭載する１番目のＳＣ−ＦＤＭＡシンボルにて伝送するデータシンボルは、長さが３である周波数ドメインにおいて拡散された後、データを搭載する１番目のＳＣ−ＦＤＭＡシンボルにおける{ＲＥ６, ＲＥ７, ＲＥ８}にマッピングされる。このように、データを搭載する１番目のＳＣ−ＦＤＭＡシンボル上の拡散したデータのマッピングを完成する。同様に、Ｄ１に含まれる、データを搭載する２番目のＳＣ−ＦＤＭＡシンボルにて伝送するデータシンボルは、長さが３である周波数ドメインにおいて拡散された後、データを搭載する２番目のＳＣ−ＦＤＭＡシンボルにおける{ＲＥ０, ＲＥ１, ＲＥ２}にマッピングされる。Ｄ２に含まれる、データを搭載する２番目のＳＣ−ＦＤＭＡシンボルにて伝送するデータシンボルは、長さが３である周波数ドメインにおいて拡散された後、データを搭載する２番目のＳＣ−ＦＤＭＡシンボルにおける{ＲＥ３, ＲＥ４, ＲＥ５}にマッピングされる。Ｄ３に含まれる、データを搭載する２番目のＳＣ−ＦＤＭＡシンボルにて伝送するデータシンボルは、長さが３である周波数ドメインにおいて拡散された後、データを搭載する２番目のＳＣ−ＦＤＭＡシンボルにおける{ＲＥ６, ＲＥ７, ＲＥ８}にマッピングされる。このように、データを搭載する２番目のＳＣ−ＦＤＭＡシンボル上の拡散したデータのマッピングを完成する。さらに、このように、データを搭載するそれぞれＳＣ−ＦＤＭＡシンボル上の拡散したデータのマッピングを完成する。１データシンボルがマッピングされた３個のＲＥは周波数ドメインにおいて連続し、異なるデータシンボルがマッピングされたＲＥ組は、周波数ドメインにおいて交互しない（即ち、平行する）。
【００８３】
図４ｂに示すように、Ｄ１に含まれる、データを搭載する１番目のＳＣ−ＦＤＭＡシンボルにて伝送するデータシンボルは、長さが３である周波数ドメインにおいて拡散された後、データを搭載する１番目のＳＣ−ＦＤＭＡシンボルにおける{ＲＥ０, ＲＥ４, ＲＥ８}にマッピングされる。Ｄ２に含まれる、データを搭載する１番目のＳＣ−ＦＤＭＡシンボルにて伝送するデータシンボルは、長さが３である周波数ドメインにおいて拡散された後、データを搭載する１番目のＳＣ−ＦＤＭＡシンボルにおける{ＲＥ１, ＲＥ５, ＲＥ９}にマッピングされる。Ｄ３に含まれる、データを搭載する１番目のＳＣ−ＦＤＭＡシンボルにて伝送するデータシンボルは、長さが３である周波数ドメインにおいて拡散された後、データを搭載する１番目のＳＣ−ＦＤＭＡシンボルにおける{ＲＥ２, ＲＥ６, ＲＥ１０}にマッピングされる。このように、データを搭載する１番目のＳＣ−ＦＤＭＡシンボル上の拡散したデータのマッピングを完成する。同様に、Ｄ１に含まれる、データを搭載する２番目のＳＣ−ＦＤＭＡシンボルにて伝送するデータシンボルは、長さが３である周波数ドメインにおいて拡散された後、データを搭載する２番目のＳＣ−ＦＤＭＡシンボルにおける{ＲＥ０, ＲＥ４, ＲＥ８}にマッピングされる。Ｄ２に含まれる、データを搭載する２番目のＳＣ−ＦＤＭＡシンボルにて伝送するデータシンボルは、長さが３である周波数ドメインにおいて拡散された後、データを搭載する２番目のＳＣ−ＦＤＭＡシンボルにおける{ＲＥ１, ＲＥ５, ＲＥ９}にマッピングされる。Ｄ３に含まれる、データを搭載する２番目のＳＣ−ＦＤＭＡシンボルにて伝送するデータシンボルは、長さが３である周波数ドメインにおいて拡散された後、データを搭載する２番目のＳＣ−ＦＤＭＡシンボルにおける{ＲＥ２, ＲＥ６, ＲＥ１０}にマッピングされる。このように、データを搭載する２番目のＳＣ−ＦＤＭＡシンボル上の拡散したデータのマッピングを完成する。さらに、このように、データを搭載するそれぞれＳＣ−ＦＤＭＡシンボル上の拡散したデータのマッピングを完成する。１データシンボルがマッピングされた３個のＲＥは、周波数ドメインにおいて分散になっており、データシンボルがマッピングされた３個のＲＥにおける隣接する２つのＲＥそれぞれの周波数ドメインにおける間隔は４個のＲＥであり、異なるデータシンボルがマッピングされたＲＥ組が周波数ドメインにおいて交互になっている。
【００８４】
0006779286.tif 000035
【００８５】
0006779286.tif 000036
【００８６】
当該例において、直交シーケンス[ｗ１,ｗ２,ｗ３,ｗ４]それぞれを用いてＰＵＣＣＨの３組データシンボル（図面におけるＤ１―Ｄ３）に対し、周波数ドメインにおいて拡散し、拡散したデータシンボルをリソースにマッピングする。ここで、各々組のデータシンボルＤｉには、１スロット内の６個のデータを搭載するＳＣ−ＦＤＭＡシンボルにおいて伝送する６個の、データシンボルが含まれる、各々組のデータシンボルＤｉに含まれるそれぞれのデータシンボルｄi,１に対応する直交シーケンスは異なる場合、各々ｄi,１に対し、当該ｄi,１に対応する直交シーケンスそれぞれを、周波数ドメインにおいて拡散し、拡散したデータを当該ｄi,１に対応するＳＣ−ＦＤＭＡシンボル上の対応のＲＥにマッピングする。ここで、ｄi,１は、Ｄｉに含まれる、ＳＣ−ＦＤＭＡシンボル番号が１であるＳＣ−ＦＤＭＡシンボルにおいて伝送するデータシンボルを示す。
【００８７】
図５ａに示すように、Ｄ１に含まれる、データを搭載する１番目のＳＣ−ＦＤＭＡシンボルにて伝送するデータシンボルは、長さが４である周波数ドメインにおいて拡散された後、データを搭載する１番目のＳＣ−ＦＤＭＡシンボルにおける{ＲＥ０, ＲＥ１, ＲＥ２, ＲＥ３}にマッピングされるＤ２に含まれる、データを搭載する１番目のＳＣ−ＦＤＭＡシンボルにて伝送するデータシンボルは、長さが４である周波数ドメインにおいて拡散された後、データを搭載する１番目のＳＣ−ＦＤＭＡシンボルにおける{ＲＥ４, ＲＥ５, ＲＥ６, ＲＥ７}にマッピングされる。Ｄ３に含まれる、データを搭載する１番目のＳＣ−ＦＤＭＡシンボルにて伝送するデータシンボルは、長さが４である周波数ドメインにおいて拡散された後、データを搭載する１番目のＳＣ−ＦＤＭＡシンボルにおける{ＲＥ８, ＲＥ９, ＲＥ１０, ＲＥ１１}にマッピングされる。データを搭載する１番目のＳＣ−ＦＤＭＡシンボル上の拡散したデータのマッピングを完成する。このように、Ｄ１に含まれる、データを搭載する２番目のＳＣ−ＦＤＭＡシンボルにて伝送するデータシンボルは、長さが４である周波数ドメインにおいて拡散された後、データを搭載する２番目のＳＣ−ＦＤＭＡシンボルにおける{ＲＥ０, ＲＥ１, ＲＥ２, ＲＥ３}にマッピングされる。Ｄ２に含まれる、データを搭載する２番目のＳＣ−ＦＤＭＡシンボルにて伝送するデータシンボルは、長さが４である周波数ドメインにおいて拡散された後、データを搭載する２番目のＳＣ−ＦＤＭＡシンボルにおける{ＲＥ４, ＲＥ５, ＲＥ６, ＲＥ７}にマッピングされる。Ｄ３に含まれる、データを搭載する２番目のＳＣ−ＦＤＭＡシンボルにて伝送するデータシンボルは、長さが４である周波数ドメインにおいて拡散された後、データを搭載する２番目のＳＣ−ＦＤＭＡシンボルにおける{ＲＥ８, ＲＥ９, ＲＥ１０, ＲＥ１１}にマッピングされる。データを搭載する２番目のＳＣ−ＦＤＭＡシンボル上の拡散したデータのマッピングを完成する。さらに、このように、データを搭載するそれぞれＳＣ
−ＦＤＭＡシンボル上の拡散したデータのマッピングを完成する。１データシンボルがマッピングされた４個のＲＥは周波数ドメインにおいて連続されており、異なるデータシンボルがマッピングされたＲＥ組は、周波数ドメインにおいて交互しない（即ち、平行する）。
【００８８】
図５ｂに示すように、Ｄ１に含まれる、データを搭載する１番目のＳＣ−ＦＤＭＡシンボルにて伝送するデータシンボルは、長さが４である周波数ドメインにおいて拡散された後、データを搭載する１番目のＳＣ−ＦＤＭＡシンボルにおける{ＲＥ０, ＲＥ３, ＲＥ６, ＲＥ９}にマッピングする。Ｄ２に含まれる、データを搭載する１番目のＳＣ−ＦＤＭＡシンボルにて伝送するデータシンボルは、長さが４である周波数ドメインにおいて拡散された後、データを搭載する１番目のＳＣ−ＦＤＭＡシンボルにおける{ＲＥ１, ＲＥ４, ＲＥ７, ＲＥ１０}にマッピングされる。Ｄ３に含まれる、データを搭載する１番目のＳＣ−ＦＤＭＡシンボルにて伝送するデータシンボルは、長さが４である周波数ドメインにおいて拡散された後、データを搭載する１番目のＳＣ−ＦＤＭＡシンボルにおける{ＲＥ２, ＲＥ５, ＲＥ８, ＲＥ１１}にマッピングされる。データを搭載する１番目のＳＣ−ＦＤＭＡシンボル上の拡散したデータのマッピングを完成する。このように、Ｄ１に含まれる、データを搭載する２番目のＳＣ−ＦＤＭＡシンボルにて伝送するデータシンボルは、長さが４である周波数ドメインにおいて拡散された後、データを搭載する２番目のＳＣ−ＦＤＭＡシンボルにおける{ＲＥ０, ＲＥ３, ＲＥ６, ＲＥ９}にマッピングされる。Ｄ２に含まれる、データを搭載する２番目のＳＣ−ＦＤＭＡシンボルにて伝送するデータシンボルは、長さが４である周波数ドメインにおいて拡散された後、データを搭載する２番目のＳＣ−ＦＤＭＡシンボルにおける{ＲＥ１, ＲＥ４, ＲＥ７, ＲＥ１０}にマッピングされる。Ｄ３に含まれる、データを搭載する２番目のＳＣ−ＦＤＭＡシンボルにて伝送するデータシンボルは、長さが４である周波数ドメインにおいて拡散された後、データを搭載する２番目のＳＣ−ＦＤＭＡシンボルにおける{ＲＥ２, ＲＥ５, ＲＥ８, ＲＥ１１}にマッピングされる。データを搭載する２番目のＳＣ−ＦＤＭＡシンボル上の拡散したデータのマッピングを完成する。さらに、このように、データを搭載するそれぞれＳＣ
−ＦＤＭＡシンボル上の拡散したデータのマッピングを完成する。１データシンボルがマッピングされた４個のＲＥは周波数ドメインにおいて分散されており、データシンボルがマッピングされた４個のＲＥにおける隣接する２つのＲＥの周波数ドメインにおける間隔それぞれは、３個のＲＥであり、異なるデータシンボルがマッピングされたＲＥ組が周波数ドメインにおいて交互になっている。
【００８９】
図５ｃに示すように、Ｄ１に含まれる、データを搭載する１番目のＳＣ−ＦＤＭＡシンボルにて伝送するデータシンボルは、長さが４である周波数ドメインにおいて拡散された後、データを搭載する１番目のＳＣ−ＦＤＭＡシンボルにおける{ＲＥ０, ＲＥ１, ＲＥ６, ＲＥ７}にマッピングされる。Ｄ２に含まれる、データを搭載する１番目のＳＣ−ＦＤＭＡシンボルにて伝送するデータシンボルは、長さが４である周波数ドメインにおいて拡散された後、データを搭載する１番目のＳＣ−ＦＤＭＡシンボルにおける{ＲＥ２, ＲＥ３, ＲＥ８, ＲＥ９}にマッピングされる。Ｄ３に含まれる、データを搭載する１番目のＳＣ−ＦＤＭＡシンボルにて伝送するデータシンボルは、長さが４である周波数ドメインにおいて拡散された後、データを搭載する１番目のＳＣ−ＦＤＭＡシンボルにおける{ＲＥ４, ＲＥ５, ＲＥ１０, ＲＥ１１}にマッピングされる。データを搭載する１番目のＳＣ−ＦＤＭＡシンボル上の拡散したデータのマッピングを完成する。このように、Ｄ１に含まれる、データを搭載する２番目のＳＣ−ＦＤＭＡシンボルにて伝送するデータシンボルは、長さが４である周波数ドメインにおいて拡散された後、データを搭載する２番目のＳＣ−ＦＤＭＡシンボルにおける{ＲＥ０, ＲＥ１, ＲＥ６, ＲＥ７}にマッピングされる。Ｄ２に含まれる、データを搭載する２番目のＳＣ−ＦＤＭＡシンボルにて伝送するデータシンボルは、長さが４である周波数ドメインにおいて拡散された後、データを搭載する２番目のＳＣ−ＦＤＭＡシンボルにおける{ＲＥ２, ＲＥ３, ＲＥ８, ＲＥ９}にマッピングされる。Ｄ３に含まれる、データを搭載する２番目のＳＣ−ＦＤＭＡシンボルにて伝送するデータシンボルは、長さが４である周波数ドメインにおいて拡散された後、データを搭載する２番目のＳＣ−ＦＤＭＡシンボルにおける{ＲＥ４, ＲＥ５, ＲＥ１０, ＲＥ１１}にマッピングされる。データを搭載する２番目のＳＣ−ＦＤＭＡシンボル上の拡散したデータのマッピングを完成する。さらに、このように、データを搭載するそれぞれＳＣ−ＦＤＭＡシンボル上の拡散したデータのマッピングを完成する。１データシンボルがマッピングされた４個のＲＥは周波数ドメインにおいて分散されており、データシンボル
がマッピングされた４個のＲＥにおける隣接する２つのＲＥの周波数ドメインにおける間隔がそれぞ異なり、異なるデータシンボルがマッピングされたＲＥ組が周波数ドメインにおいて交互になっている。
【００９０】
図５ｄに示すように、Ｄ１に含まれる、データを搭載する１番目のＳＣ−ＦＤＭＡシンボルにて伝送するデータシンボルは、長さが４である周波数ドメインにおいて拡散された後、データを搭載する１番目のＳＣ−ＦＤＭＡシンボルにおける{ＲＥ０, ＲＥ１, ＲＥ１０, ＲＥ１１}にマッピングされる。Ｄ２に含まれる、データを搭載する１番目のＳＣ−ＦＤＭＡシンボルにて伝送するデータシンボルは、長さが４である周波数ドメインにおいて拡散された後、データを搭載する１番目のＳＣ−ＦＤＭＡシンボルにおける{ＲＥ２, ＲＥ３, ＲＥ８, ＲＥ９}にマッピングされる。Ｄ３に含まれる、データを搭載する１番目のＳＣ−ＦＤＭＡシンボルにて伝送するデータシンボルは、長さが４である周波数ドメインにおいて拡散された後、データを搭載する１番目のＳＣ−ＦＤＭＡシンボルにおける{ＲＥ４, ＲＥ５, ＲＥ６, ＲＥ７}にマッピングされる。データを搭載する１番目のＳＣ−ＦＤＭＡシンボル上の拡散したデータのマッピングを完成する。このように、Ｄ１に含まれる、データを搭載する２番目のＳＣ−ＦＤＭＡシンボルにて伝送するデータシンボルは、長さが４である周波数ドメインにおいて拡散された後、データを搭載する２番目のＳＣ−ＦＤＭＡシンボルにおける{ＲＥ０, ＲＥ１, ＲＥ１０, ＲＥ１１}にマッピングされる。Ｄ２に含まれる、データを搭載する２番目のＳＣ−ＦＤＭＡシンボルにて伝送するデータシンボルは、長さが４である周波数ドメインにおいて拡散された後、データを搭載する２番目のＳＣ−ＦＤＭＡシンボルにおける{ＲＥ２, ＲＥ３, ＲＥ８, ＲＥ９}にマッピングされる。Ｄ３に含まれる、データを搭載する２番目のＳＣ−ＦＤＭＡシンボルにて伝送するデータシンボルは、長さが４である周波数ドメインにおいて拡散された後、データを搭載する２番目のＳＣ−ＦＤＭＡシンボルにおける{ＲＥ４, ＲＥ５, ＲＥ６, ＲＥ７}にマッピングされる。データを搭載する２番目のＳＣ−ＦＤＭＡシンボル上の拡散したデータのマッピングを完成する。さらに、このように、データを搭載するそれぞれＳＣ−Ｆ
ＤＭＡシンボル上の拡散したデータのマッピングを完成する。１データシンボルがマッピングされた４個のＲＥは、周波数ドメインにおいて分散になってもよく、連続してもよく、異なるデータシンボルがマッピングされたＲＥ組が周波数ドメインにおいて交互になっている。
【００９１】
0006779286.tif 000037
【００９２】
当該例は１ＰＲＢないのマッピング状況を挙げる。当該ＰＲＢは周波数ドメインにおいて１２個のサブキャリアを占有し、タイム・ドメインにおいて１スロットを占有する。ノーマルＣＰをガード間隔とする例を挙げ、１タイム・ドメインに７個のＳＣ−ＦＤＭＡシンボルがあり、１スロットに１列のパイロットシンボルのみがある。説明の便宜を図るため、当該ＰＲＢにおいて、周波数の小大順に従って、１ＳＣ−ＦＤＭＡシンボル内のＲＥをＲＥ０ーＲＥ１１と称する。
【００９３】
当該例において、直交シーケンス[ｗ１,ｗ２,ｗ３,ｗ４,ｗ５,ｗ６]それぞれを用いてＰＵＣＣＨの２組データシンボル（図におけるＤ１ーＤ２）を周波数ドメインにおいて拡散し、拡散したデータシンボルをリソースにマッピングする；ここで、各々組のデータシンボルＤｉには、１スロット内の６個のデータを搭載するＳＣ−ＦＤＭＡシンボルにおいて伝送する６個の、データシンボルが含まれる、各々組のデータシンボルＤｉに含まれるそれぞれのデータシンボルｄi,１に対応する直交シーケンスは異なる場合、各々ｄi,１に対し当該ｄi,１に対応する直交シーケンスそれぞれを用いて周波数ドメインにおいて拡散し、拡散したデータを当該ｄi,１に対応するＳＣ−ＦＤＭＡシンボル上の対応のＲＥにマッピングする。ここで、ｄi,１は、Ｄｉに含まれる、ＳＣ−ＦＤＭＡシンボル番号が１であるＳＣ−ＦＤＭＡシンボルにおいて伝送するデータシンボルを示す。
【００９４】
図６ａに示すように、Ｄ１に含まれる、データを搭載する１番目のＳＣ−ＦＤＭＡシンボルにて伝送するデータシンボルは、長さが６である周波数ドメインにおいて拡散された後、データを搭載する１番目のＳＣ−ＦＤＭＡシンボルにおける{ＲＥ０, ＲＥ１, ＲＥ２, ＲＥ３, ＲＥ４, ＲＥ５}にマッピングされる。Ｄ２に含まれる、データを搭載する１番目のＳＣ−ＦＤＭＡシンボルにて伝送するデータシンボルは、長さが６である周波数ドメインにおいて拡散された後、データを搭載する１番目のＳＣ−ＦＤＭＡシンボルにおける{ＲＥ６, ＲＥ７, ＲＥ８, ＲＥ９, ＲＥ１０, ＲＥ１１}にマッピングされる。データを搭載する１番目のＳＣ−ＦＤＭＡシンボル上の拡散したデータのマッピングを完成する。このように、Ｄ１に含まれる、データを搭載する２番目のＳＣ−ＦＤＭＡシンボルにて伝送するデータシンボルは、長さが６である周波数ドメインにおいて拡散された後、データを搭載する２番目のＳＣ−ＦＤＭＡシンボルにおける{ＲＥ０, ＲＥ１, ＲＥ２, ＲＥ３, ＲＥ４, ＲＥ５}にマッピングされる。Ｄ２に含まれる、データを搭載する２番目のＳＣ−ＦＤＭＡシンボルにて伝送するデータシンボルは、長さが６である周波数ドメインにおいて拡散された後、データを搭載する２番目のＳＣ−ＦＤＭＡシンボルにおける{ＲＥ６, ＲＥ７, ＲＥ８, ＲＥ９, ＲＥ１０, ＲＥ１１}にマッピングされる。データを搭載する２番目のＳＣ−ＦＤＭＡシンボル上の拡散したデータのマッピングを完成する。さらに、このように、データを搭載するそれぞれＳＣ−ＦＤＭＡシンボル上の拡散したデータのマッピングを完成する。１データシンボルがマッピングされた６個のＲＥは周波数ドメインにおいて連続され、異なるデータシンボルがマッピングされたＲＥ組は、周波数ドメインにおいて交互しない（即ち、平行する）。
【００９５】
図６ｂに示すように、Ｄ１に含まれる、データを搭載する１番目のＳＣ−ＦＤＭＡシンボルにて伝送するデータシンボルは、長さが６である周波数ドメインにおいて拡散された後、データを搭載する１番目のＳＣ−ＦＤＭＡシンボルにおける{ＲＥ０, ＲＥ１, ＲＥ２, ＲＥ６, ＲＥ７, ＲＥ８}にマッピングされる。Ｄ２に含まれる、データを搭載する１番目のＳＣ−ＦＤＭＡシンボルにて伝送するデータシンボルは、長さが６である周波数ドメインにおいて拡散された後、データを搭載する１番目のＳＣ−ＦＤＭＡシンボルにおける{ＲＥ３, ＲＥ４, ＲＥ５, ＲＥ９, ＲＥ１０, ＲＥ１１}にマッピングされる。データを搭載する１番目のＳＣ−ＦＤＭＡシンボル上の拡散したデータのマッピングを完成する。このように、Ｄ１に含まれる、データを搭載する２番目のＳＣ−ＦＤＭＡシンボルにて伝送するデータシンボルは、長さが６である周波数ドメインにおいて拡散された後、データを搭載する２番目のＳＣ−ＦＤＭＡシンボルにおける{ＲＥ０, ＲＥ１, ＲＥ２, ＲＥ６, ＲＥ７, ＲＥ８}にマッピングされる。Ｄ２に含まれる、データを搭載する２番目のＳＣ−ＦＤＭＡシンボルにて伝送するデータシンボルは、長さが６である周波数ドメインにおいて拡散された後、データを搭載する２番目のＳＣ−ＦＤＭＡシンボルにおける{ＲＥ３, ＲＥ４, ＲＥ５, ＲＥ９, ＲＥ１０, ＲＥ１１}にマッピングされる。データを搭載する２番目のＳＣ−ＦＤＭＡシンボル上の拡散したデータのマッピングを完成する。さらに、このように、データを搭載するそれぞれＳＣ−ＦＤＭＡシンボル上の拡散したデータのマッピングを完成する。１データシンボルがマッピングされた６個のＲＥは周波数ドメインにおいて分散されており、異なるデータシンボルがマッピングされたＲＥ組が周波数ドメインにおいて交互になっている。
【００９６】
図６ｃに示すように、Ｄ１に含まれる、データを搭載する１番目のＳＣ−ＦＤＭＡシンボルにて伝送するデータシンボルは、長さが６である周波数ドメインにおいて拡散された後、データを搭載する１番目のＳＣ−ＦＤＭＡシンボルにおける{ＲＥ０, ＲＥ１, ＲＥ４, ＲＥ５, ＲＥ８, ＲＥ９}にマッピングされる。Ｄ２に含まれる、データを搭載する１番目のＳＣ−ＦＤＭＡシンボルにて伝送するデータシンボルは、長さが６である周波数ドメインにおいて拡散された後、データを搭載する１番目のＳＣ−ＦＤＭＡシンボルにおける{ＲＥ２, ＲＥ３, ＲＥ６, ＲＥ７, ＲＥ１０, ＲＥ１１}にマッピングされる。データを搭載する１番目のＳＣ−ＦＤＭＡシンボル上の拡散したデータのマッピングを完成する。このように、Ｄ１に含まれる、データを搭載する２番目のＳＣ−ＦＤＭＡシンボルにて伝送するデータシンボルは、長さが６である周波数ドメインにおいて拡散された後、データを搭載する２番目のＳＣ−ＦＤＭＡシンボルにおける{ＲＥ０, ＲＥ１, ＲＥ４, ＲＥ５, ＲＥ８, ＲＥ９}にマッピングされる。Ｄ２に含まれる、データを搭載する２番目のＳＣ−ＦＤＭＡシンボルにて伝送するデータシンボルは、長さが６である周波数ドメインにおいて拡散された後、データを搭載する２番目のＳＣ−ＦＤＭＡシンボルにおける{ＲＥ２, ＲＥ３, ＲＥ６, ＲＥ７, ＲＥ１０, ＲＥ１１}にマッピングされる。データを搭載する２番目のＳＣ−ＦＤＭＡシンボル上の拡散したデータのマッピングを完成する。さらに、このように、データを搭載するそれぞれＳＣ−ＦＤＭＡシンボル上の拡散したデータのマッピングを完成する。１データシンボルがマッピングされた６個のＲＥは周波数ドメインにおいて分散されており、異なるデータシンボルがマッピングされたＲＥ組が周波数ドメインにおいて交互になっている。
【００９７】
図６ｄに示すように、Ｄ１に含まれる、データを搭載する１番目のＳＣ−ＦＤＭＡシンボルにて伝送するデータシンボルは、長さが６である周波数ドメインにおいて拡散された後、データを搭載する１番目のＳＣ−ＦＤＭＡシンボルにおける{ＲＥ０, ＲＥ１, ＲＥ２, ＲＥ９, ＲＥ１０, ＲＥ１１}にマッピングされる。Ｄ２に含まれる、データを搭載する１番目のＳＣ−ＦＤＭＡシンボルにて伝送するデータシンボルは、長さが６である周波数ドメインにおいて拡散された後、データを搭載する１番目のＳＣ−ＦＤＭＡシンボルにおける{ＲＥ３, ＲＥ４, ＲＥ５, ＲＥ６, ＲＥ７, ＲＥ８}にマッピングされる。データを搭載する１番目のＳＣ−ＦＤＭＡシンボル上の拡散したデータのマッピングを完成する。このように、Ｄ１に含まれる、データを搭載する２番目のＳＣ−ＦＤＭＡシンボルにて伝送するデータシンボルは、長さが６である周波数ドメインにおいて拡散された後、データを搭載する２番目のＳＣ−ＦＤＭＡシンボルにおける{ＲＥ０, ＲＥ１, ＲＥ２, ＲＥ９, ＲＥ１０, ＲＥ１１}にマッピングされる。Ｄ２に含まれる、データを搭載する２番目のＳＣ−ＦＤＭＡシンボルにて伝送するデータシンボルは、長さが６である周波数ドメインにおいて拡散された後、データを搭載する２番目のＳＣ−ＦＤＭＡシンボルにおける{ＲＥ３, ＲＥ４, ＲＥ５, ＲＥ６, ＲＥ７, ＲＥ８}にマッピングされる。データを搭載する２番目のＳＣ−ＦＤＭＡシンボル上の拡散したデータのマッピングを完成する。さらに、このように、データを搭載するそれぞれＳＣ−ＦＤＭＡシンボル上の拡散したデータのマッピングを完成する。１データシンボルがマッピングされた６個のＲＥは、周波数ドメインにおいて、連続してもよく、分散してもよく、異なるデータシンボルがマッピングされたＲＥ組が周波数ドメインにおいて交互になっている。
【００９８】
上述のシナリオ１―シナリオ４において、ＰＵＣＣＨを１ＰＲＢにマッピングする状況を説明したが、当該原理は、ＰＵＣＣＨを複数のＰＲＢにマッピングすることにも適用できる。ＰＵＣＣＨを複数のＰＲＢにマッピングした場合、マッピング結果は以下の幾つかの種類を含む。
【００９９】
0006779286.tif 000038
【０１００】
ステップ２０３において、ユーザー装置は、ＰＵＣＣＨに対応する周波数ドメインリソースにおいて、周波数ドメインにおいて拡散されたアップリンク制御情報を伝送する。
【０１０１】
当該ステップにおいて、ステップ２０２におけるリソースマッピングを変調して無線周波数信号を得て伝送することにより、ＰＵＣＣＨに対応する周波数ドメインリソースにおいて周波数ドメインにおいて拡散されたアップリンク制御情報を伝送する。
【０１０２】
0006779286.tif 000039
0006779286.tif 000040
【０１０３】
ここで、ＰＵＣＣＨに対応する周波数ドメインリソースの指示情報は、ＰＲＢの数、ＰＲＢの番号（ＰＲＢの番号は当該ＰＲＢのシステム帯域幅における位置を識別する）、ＰＵＣＣＨのチャネルリソース番号中の１つまたは複数である。さらに、ＰＵＣＣＨに対応する周波数ドメインリソースの指示情報にＰＵＣＣＨのチャネルリソース番号が含まれば、ユーザー装置は、当該ＰＵＣＣＨのチャネルリソース番号により、当該ＰＵＣＣＨに対応するＰＲＢの番号を決定する。即ち、ＰＵＣＣＨに対応するＰＲＢの番号は、当該ＰＵＣＣＨのチャネルリソース番号により決定される。
【０１０４】
0006779286.tif 000041
【０１０５】
0006779286.tif 000042
【０１０６】
0006779286.tif 000043
【０１０７】
0006779286.tif 000044
【０１０８】
0006779286.tif 000045
【０１０９】
0006779286.tif 000046
【０１１０】
0006779286.tif 000047
【０１１１】
0006779286.tif 000048
【０１１２】
0006779286.tif 000049
【０１１３】
0006779286.tif 000050
【０１１４】
よって、本発明の上記実施例において、ユーザー装置は、ＰＵＣＣＨに用いられる直交シーケンスの情報を受信し、前記直交シーケンスの指示情報に対応する直交シーケンスに基づき、ＰＩＣＣＨに搭載されるアップリンク制御情報を周波数ドメインにおいて拡散し、当該ＰＵＣＣＨに対応する周波数ドメインリソースにおいて前記アップリンク制御情報を伝送することにより、周波数ドメインにおいてＰＵＣＣＨを拡散し、ＰＲＢにおける多重化するユーザーを増やし、ＰＵＣＣＨリソースのオーバーヘッドを低減し。
【０１１５】
0006779286.tif 000051
【０１１６】
図８は本発明の実施例に係る周波数ドメインにおける拡散解消のフローチャートである。当該フローチャートは基地局側において実現される。当該拡散解消フローチャートは、図２に示す拡散フローチャートの逆フローチャートである。
【０１１７】
図８に示すように、当該フローチャートは、下記のステップ８０１と、ステップ８０２と、ステップ８０３とを備える。
【０１１８】
ステップ８０１において、基地局は、ＰＵＣＣＨに対応する周波数ドメインリソースにおいて、前記ＰＵＣＣＨを受する。
【０１１９】
ステップ８０２において、基地局は、前記ＰＵＣＣＨに用いられる直交シーケンスの指示情報を決定する。
【０１２０】
ステップ８０３において、基地局は、前記直交シーケンスの指示情報に対応する直交シーケンスを用いて、周波数ドメインにおいて、前記ＰＵＣＣＨに搭載されたアップリンク制御情報を拡散解消する。
【０１２１】
0006779286.tif 000052
【０１２２】
ここで、１データシンボルがマッピングされたＲＥ組のＲＥは、周波数ドメインにおいて連続して分布されるかまたは分散して分布される。及び/または、異なるデータシンボルがマッピングされた異なるＲＥ組内のＲＥは、周波数ドメインにおいて、平行分布されるかまたは、交互に分布される。
【０１２３】
ここで、ステップ８０３の執行流れとしては、前記ＰＵＣＣＨにより占有されたデータを搭載するそれぞれのＳＣ-ＦＤＭＡシンボルについて、前記ＳＣ-ＦＤＭＡシンボルの対応のＲＥにおいて受信した拡散したデータシンボルと、前記対応する直交シーケンスの共役転置シーケンスをかけて、拡散解消された前記ＳＣ-ＦＤＭＡシンボルにおいて伝送するデータシンボルを得る。
【０１２４】
オプションとして、前記対応する直交シーケンスの長さは１２であり、前記対応する直交シーケンスは[+１,+１,+１,+１,+１,+１,+１,+１,+１,+１,+１,+１]または[+１,+１,+１,+１,+１,+１,-１,-１,-１,-１,-１,-１]であり、前記ＳＣ-ＦＤＭＡシンボル上のi番目及びi+６番目のＲＥにおいて受信した拡散したデータシンボルと、前記対応する直交シーケンス内のi番目及びi+６番目の直交コードの共役転置をかけて、拡散解消された前記ＳＣ-ＦＤＭＡシンボルにおいて伝送する６個のデータシンボルのうちのｉ番目のデータシンボルを得る。
【０１２５】
0006779286.tif 000053
【０１２６】
さらに、基地局は、高位層シグナリング及び/またはＤＣＩ内のビットフィールドにより、ユーザー装置にＰＵＣＣＨの伝送に用いられる直交シーケンスの番号を通知し、ユーザー装置に、対応する直交シーケンス対ＰＵＣＣＨに搭載されたアップリンク制御情報を周波数ドメインにいて拡散するようにする。ここで、直交シーケンスの番号の通知スキームは上記の実施例を参照すればよいため、この以上説明しない。
【０１２７】
さらに、基地局は、高位層シグナリング及び/またはＤＣＩによりユーザー装置に前記ＰＵＣＣＨのチャネルリソース番号を通知して、前記ユーザー装置に、前記ＰＵＣＣＨのチャネルリソース番号により、ＰＵＣＣＨに用いられる直交シーケンスの番号を決定させる。ここで、ＰＵＣＣＨのチャネルリソース番号の的通知スキームは上述の実施例を参照すればよいため、この以上説明しない。
【０１２８】
さらに、基地局は高位層シグナリング及び/またはＤＣＩによりユーザー装置にＰＵＣＣＨに対応する周波数ドメインリソースの指示情報を通知して、ユーザー装置に、対応の周波数ドメインリソースにおいて、ＰＵＣＣＨに搭載されたアップリンク制御情報を伝送させる。ここで、前記ＰＵＣＣＨに対応する周波数ドメインリソースの指示情報は、ＰＲＢの数、ＰＲＢの番号、ＰＵＣＣＨのチャネルリソース番号のうちの１つまたは複数とを備える。
【０１２９】
同様な発明思想により、本発明に係る実施例は、ユーザー装置の構造を提供し、当該ユーザー装置は、前の周波数ドメインにおける拡散・伝送のフローチャートを執行することができる。
【０１３０】
図９に示すように、当該ユーザー装置は、取得モジュール９０１と、拡散モジュール９０２と、伝送モジュール９０３とを備える。
【０１３１】
前記取得モジュール９０１は、ＰＵＣＣＨの伝送に用いられる直交シーケンスの指示情報を取得する。
【０１３２】
前記拡散モジュール９０２は、前記直交シーケンスの指示情報に対応する直交シーケンスに基づき、周波数ドメインにおいて、前記ＰＵＣＣＨに搭載されたアップリンク制御情報を拡散する。
【０１３３】
前記伝送モジュール９０３は、前記ＰＵＣＣＨに対応する周波数ドメインリソースにおいて、前記周波数ドメインにおいて拡散されたアップリンク制御情報を伝送する。
【０１３４】
好ましくは、前記取得モジュール９０１は、受信した高位層シグナリング及び/またはＤＣＩ内のビットフィールドに基づき、ＰＵＣＣＨの伝送に用いられる直交シーケンスの番号を取得する。または、前記ＰＵＣＣＨのチャネルリソース番号に基づき、前記ＰＵＣＣＨに用いられる直交シーケンスの番号を決定し、ここで、前記ＰＵＣＣＨのチャネルリソース番号は、高位層シグナリング及び/またはＤＣＩ内のビットフィールドにより通知される。
【０１３５】
ここで、前記取得モジュール９０１は、少なくとも、前記ＰＵＣＣＨのチャネルリソース番号及び前記直交シーケンスの長さに基づき、前記ＰＵＣＣＨが所在のサブフレームにおいて用いる直交シーケンスの番号を決定する。または、少なくとも、前記ＰＵＣＣＨのチャネルリソース番号、前記直交シーケンスの長さ及び前記ＰＵＣＣＨの所在スロットの番号に基づき、前記ＰＵＣＣＨが所在のサブフレーム内の当該スロットにおいて用いる直交シーケンスの番号を決定する。または、少なくとも、前記ＰＵＣＣＨのチャネルリソース番号、前記直交シーケンスの長さ及び前記ＰＵＣＣＨを伝送するＳＣ−ＦＤＭＡシンボルの番号に基づき、前記ＰＵＣＣＨの、所在のサブフレーム内それぞれのスロットにおける当該ＳＣ−ＦＤＭＡシンボル上の対応する直交シーケンスの番号を決定する。または、少なくとも、前記ＰＵＣＣＨのチャネルリソース番号、前記直交シーケンスの長さ、前記ＰＵＣＣＨの所在のスロットの番号及び当該スロットにおけるＰＵＣＣＨを伝送するためのＳＣ−ＦＤＭＡシンボルの番号に基づき、前記ＰＵＣＣＨの、所在のサブフレーム内の当該スロットにおける当該ＳＣ−ＦＤＭＡシンボル上の対応する直交シーケンスの番号を決定する。
【０１３６】
0006779286.tif 000054
【０１３７】
ここで、１データシンボルがマッピングされたＲＥ組のＲＥは、周波数ドメインにおいて連続して分布されるかまたは分散して分布される。及び/または，異なるデータシンボルがマッピングされた異なるＲＥ組内のＲＥは、周波数ドメインにおいて、平行分布されるかまたは、交互に分布される。
【０１３８】
好ましくは、前記ＰＵＣＣＨに対応する周波数ドメインリソースの指示情報は、高位層シグナリングにより通知されるか、及び/または、ＤＣＩ内のビットフィールドにより通知される。
【０１３９】
好ましくは、前記ＰＵＣＣＨに対応する周波数ドメインリソースの指示情報は、物理リソースブロック（ＰＲＢ）の増加、ＰＲＢの番号及びＰＵＣＣＨのチャネルリソース番号のうちの１つまたは複数を備える。
【０１４０】
ここで、前記ＰＵＣＣＨに対応する周波数ドメインリソースの指示情報にＰＵＣＣＨのチャネルリソース番号が含まれば、前記ＰＵＣＣＨに対応するＰＲＢの番号は、前記ＰＵＣＣＨのチャネルリソース番号に基づいて決定される。
【０１４１】
0006779286.tif 000055
【０１４２】
好ましくは、前記サイクリック・シフト値は、高位層シグナリング及び/またはＤＣＩにより通知されるか、または、或者前記直交シーケンスの番号により決定される。
【０１４３】
好ましくは、前記拡散モジュール９０２は、前記ＰＵＣＣＨにより占有された、データを搭載するそれぞれのシングルキャリア周波数分割多元接続（ＳＣ−ＦＤＭＡ）シンボルについて、前記ＳＣ−ＦＤＭＡシンボルにおいて伝送するデータシンボルと、前記対応する直交シーケンス内の直交コードをかけて、前記ＳＣ−ＦＤＭＡシンボル上の対応のＲＥにマッピングする。
【０１４４】
好ましくは、前記対応する直交シーケンスの長さが１２であり、前記対応する直交シーケンスが[+１,+１,+１,+１,+１,+１,+１,+１,+１,+１,+１,+１]または[+１,+１,+１,+１,+１,+１,-１,-１,-１,-１,-１,-１]であり、前記ＳＣ−ＦＤＭＡシンボルにおいて伝送する６個のデータシンボルのうちのｉ番目のデータシンボルと、前記対応する直交シーケンス内のi番目及びi+６番目の直交コードをかけて、それぞれ前記ＳＣ−ＦＤＭＡシンボル上のi番目及びi+６番目のＲＥにマッピングする。
【０１４５】
同様な発明思想により、本発明に係る実施例はユーザー装置をさらに提供する。
【０１４６】
図１０に示すように、本発明の実施例に係るユーザー装置は、プロセッサ１００１と、メモリ１００２と、送受信機１００３と、バスインターフェースとを備える。
【０１４７】
プロセッサ１００１は、バズアーキテクチャ及び通常の処理を監視し、メモリ１００２は、プロセッサ１００１が動作する際に利用するデータを記憶することができる。送受信機１００３は、プロセッサ１００１の制御により、データを送受信する。。
【０１４８】
バスアーキテクチャは、いずれ数の相互接続するバス及びブリッジを備える。具体的に、プロセッサ１００１が代表となる１つまたは複数のプロセッサ及びメモリ１００２が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機１００３は、複数の部品であることができ、即ち、送信機及び受信機を備え、伝送媒体を介して他の装置と通信するユニットを提供する。プロセッサ１００１は、バズアーキテクチャ及び通常の処理を監視し、メモリ１００２は、プロセッサ１００１が動作する際に利用するデータを記憶することができる。
【０１４９】
本発明に係る実施例により開示されたユーザー装置側の周波数ドメインにおける拡散伝送流れは、プロセッサ１００１に適用することができるか、または、プロセッサ１００１により実現される。実現の間、周波数ドメインにおける拡散伝送流れにおける各々ステップは、プロセッサ１００１内のハードウェアの論理集積回路またはソフトウェア形式の指令により完成されることができる。プロセッサ１００１は、汎用プロセッサ、デジタル信号プロセッサ、専用集積回路、フィールドプログラマブル・ゲートアレイまたはたのプログラマブルロジック・デバイス、ディスクリート・ゲートまたはトランジスタロジック・デバイス 、ディスクリート・ハードウェアコンポネントであることができ、本発明に係る実施例により開示した各々方法、ステップ及びロジックブロック図を実現・執行することができる。汎用プロセッサはマイクロプロセッサまたはいずれのノーマルプロセッサなどであることができる。本発明に係る実施例に開示された方法のステップを参照すれば、ハードウェアプロセッサにより直接に執行して完成するか、または、プロセッサ内のハードウェア及びソフトウェアモジュールの組み合わせにより執行されて完成することができる。ソフトウェアモジュールは、ランダムメモリ、フラッシュメモリ、リードオンリーメモリ，プログラマブルリードオンリーメモリまたは電気的消去可能プログラマブルメモリ、レジスタなど本分野のよく知られる記憶媒体に格納されることができる。当該記憶媒体はメモリ１００２に位置し、プロセッサ１００１はメモリ１００２に格納される情報をよみだして、そのハードウェアと協働して周波数ドメインにおける拡散伝送のステップを完成する。
【０１５０】
具体的に、前記プロセッサ１００１は、メモリ１００２に格納されたプログラムを読み出して、ＰＵＣＣＨの伝送に用いられる直交シーケンスの指示情報を取得し、前記直交シーケンスの指示情報に対応する直交シーケンスに基づき、周波数ドメインにおいて、前記ＰＵＣＣＨに搭載されたアップリンク制御情報を拡散する。また、前記ＰＵＣＣＨに対応する周波数ドメインリソースにおいて、前記周波数ドメインにおいて拡散されたアップリンク制御情報を伝送する。
【０１５１】
当該流れの具体的な実施スキームは前の実施例を参照すればよいため、この以上説明しない。
【０１５２】
同様な発明思想により、本発明に係る実施例は、基地局をさらに提供する。当該基地局は,前の周波数ドメインにおける拡散解消を実施できる。
【０１５３】
図１１に示すように、当該基地局は、受信モジュール１１０１と、決定モジュール１１０２と、拡散解消モジュール１１０３と、通知モジュール１１０４とを備える。
【０１５４】
前記受信モジュール１１０１は、ＰＵＣＣＨに対応する周波数ドメインリソースにおいて前記ＰＵＣＣＨを受信する。
【０１５５】
前記決定モジュール１１０２は、前記ＰＵＣＣＨに用いられる直交シーケンスの指示情報を決定する。
【０１５６】
前記拡散解消モジュール１１０３は、前記直交シーケンスの指示情報に対応する直交シーケンスを用いて、周波数ドメインにおいて、前記ＰＵＣＣＨに搭載されたアップリンク制御情報を拡散解消する。
【０１５７】
さらに、通知モジュール１１０４は、高位層シグナリング及び/またはＤＣＩ内のビットフィールドにより、ユーザー装置にＰＵＣＣＨの伝送に用いられる直交シーケンスの番号を通知する。または、高位層シグナリング及び/またはＤＣＩによりユーザー装置に前記ＰＵＣＣＨのチャネルリソース番号を通知して、前記ユーザー装置に、前記ＰＵＣＣＨのチャネルリソース番号により、前記ＰＵＣＣＨに用いられる直交シーケンスの番号を決定させるようにする。
【０１５８】
0006779286.tif 000056
【０１５９】
さらに、通知モジュール１１０４は、高位層シグナリング及び/またはＤＣＩにより、ユーザー装置に前記ＰＵＣＣＨに対応する周波数ドメインリソースの指示情報を通知する。ここで、前記ＰＵＣＣＨに対応する周波数ドメインリソースの指示情報は、ＰＲＢの数、ＰＲＢの番号及びＰＵＣＣＨのチャネルリソース番号のうちの１つまたは複数を含む。      
【０１６０】
0006779286.tif 000057
【０１６１】
さらに、通知モジュール１１０４は、高位層シグナリング及び/またはＤＣＩによりユーザー装置に前記サイクリック・シフト値を通知する。
【０１６２】
さらに、前記拡散解消モジュール１１０３は、前記ＰＵＣＣＨにより占有されたデータを搭載するそれぞれのＳＣ-ＦＤＭＡシンボルについて、前記ＳＣ-ＦＤＭＡシンボルの対応のＲＥにおいて受信した拡散したデータシンボルと、前記対応する直交シーケンスの共役転置シーケンスをかけて、拡散解消された前記ＳＣ-ＦＤＭＡシンボルにおいて伝送するデータシンボルを得る。
【０１６３】
さらに、前記対応する直交シーケンスの長さが１２であり、前記対応する直交シーケンスが[+１,+１,+１,+１,+１,+１,+１,+１,+１,+１,+１,+１]または[+１,+１,+１,+１,+１,+１,-１,-１,-１,-１,-１,-１]であり、前記ＳＣ-ＦＤＭＡシンボル上のi番目及びi+６番目のＲＥにおいて受信した拡散したデータシンボルと、前記対応する直交シーケンス内のi番目及びi+６番目の直交コードの共役転置をかけて、拡散解消された前記ＳＣ-ＦＤＭＡシンボルにおいて伝送する６個のデータシンボルのうちのｉ番目のデータシンボルを得る。
【０１６４】
同様な発明思想により、本発明に係る実施例は、基地局をさらに提供する。
【０１６５】
図１２に示すように、本発明の実施例に係る基地局は、プロセッサ１２０１と、メモリ１２０２と、送受信機１２０３と、バスインターフェースとを備える。
【０１６６】
プロセッサ１２０１は、バズアーキテクチャ及び通常の処理を監視し、メモリ１２０２は、プロセッサ１２０１が動作する際に利用するデータを記憶することができる。送受信機１２０３はプロセッサ１２０１の制御によりデータを送受信する。
【０１６７】
バスアーキテクチャは、いずれ数の相互接続するバス及びブリッジを備える。具体的に、プロセッサ１２０１が代表となる１つまたは複数のプロセッサ及びメモリ１２０２が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機１２０３は、複数の部品であることができ、即ち、送信機及び受信機を備え、伝送媒体を介して他の装置と通信するユニットを提供する。プロセッサ１２０１は、バズアーキテクチャ及び通常の処理を監視し、メモリ１２０２は、プロセッサ１００１が動作する際に利用するデータを記憶することができる。
【０１６８】
本発明に係る実施例により開示されたユーザー装置側の周波数ドメインにおける拡散伝送流れは、プロセッサ１２０１に適用することができるか、または、プロセッサ１２０１により実現される。実現の間、周波数ドメインにおける拡散伝送流れにおける各々ステップは、プロセッサ１２０１内のハードウェアの論理集積回路またはソフトウェア形式の指令により完成されることができる。プロセッサ１２０１は、汎用プロセッサ、デジタル信号プロセッサ、専用集積回路、フィールドプログラマブル・ゲートアレイまたはたのプログラマブルロジック・デバイス、ディスクリート・ゲートまたはトランジスタロジック・デバイス 、ディスクリート・ハードウェアコンポネントであることができ、本発明に係る実施例により開示した各々方法、ステップ及びロジックブロック図を実現・執行することができる。汎用プロセッサはマイクロプロセッサまたはいずれのノーマルプロセッサなどであることができる。本発明に係る実施例に開示された方法のステップを参照すれば、ハードウェアプロセッサにより直接に執行して完成するか、または、プロセッサ内のハードウェア及びソフトウェアモジュールの組み合わせにより執行されて完成することができる。ソフトウェアモジュールは、ランダムメモリ、フラッシュメモリ、リードオンリーメモリ，プログラマブルリードオンリーメモリまたは電気的消去可能プログラマブルメモリ、レジスタなど本分野のよく知られる記憶媒体に格納されることができる。当該記憶媒体はメモリ１２０２に位置し、プロセッサ１２０１はメモリ１２０２に格納される情報をよみだして、そのハードウェアと協働して周波数ドメインにおける拡散伝送のステップを完成する。
【０１６９】
具体的に、前記プロセッサ１２０１は、メモリ１２０２に格納されＴらプログラムを読み出して、ＰＵＣＣＨに対応する周波数ドメインリソースにおいて前記ＰＵＣＣＨを受信する。
【０１７０】
また、前記ＰＵＣＣＨに用いられる直交シーケンスの指示情報を決定する。
【０１７１】
また、前記直交シーケンスの指示情報に対応する直交シーケンスを用いて、周波数ドメインにおいて、前記ＰＵＣＣＨに搭載されたアップリンク制御情報を拡散解消する。
【０１７２】
当該流れの具体的な実施スキームは前の実施例を参照すればよいため、この以上説明しない。
【０１７３】
本分野の技術者として、本発明の実施本発明に係る実施形態が方法、システム、又はコンピュータプログラム製品を提供できるため、本発明は完全なハードウェア実施形態、完全なソフトウェア実施形態、又はソフトウェアとハードウェアの両方を結合した実施形態を採用できることがわかるはずである又、本発明は一つ又は複数のコンピュータプログラム製品の形式を採用できる。当該製品は、コンピュータ使用可能なプログラムコードを含むコンピュータ利用可能な記憶媒体（ディスク記憶装置、ＣＤ-ＲＯＭ、光学記憶装置などを含むがそれとは限らない）において実施する。
【０１７４】
以上は本発明に係る実施形態の方法、装置（システム）、及びコンピュータプログラム製品のフロー及び／又はブロック図により本発明を記述した。理解すべきことは、コンピュータプログラムの指令により、フロー及び／又はブロック図における各フロー及び／又はブロックと、フロー及び／又はブロック図におけるフロー及び／又はブロックの結合を実現できる。プロセッサはこれらのコンピュータプログラム指令を汎用コンピュータ、専用コンピュータ、組込み式処理装置、又は他のプログラミング可能なデータ処理装置に提供でき、コンピュータ又は他のプログラミング可能なデータ処理装置のプロセッサは、これらのコンピュータプログラム指令を実行し、フロー図における一つ又は複数のフロー及び／又はブロック図における１つのブロック又は複数のブロックに指定される機能を実現する。
【０１７５】
それらのコンピュータプログラム指令は又、コンピュータ又は他のプログラミング可能なデータ処理装置を特定手法で動作させるコンピュータ読取記憶装置に記憶できる。これにより、指令を含む装置は当該コンピュータ読取記憶装置内の指令を実行でき、又、フロー図における１つまたは複数のフローと／又はブロック図における１つ又は複数のブロックにおいて指定される機能を実現できる。
【０１７６】
これらのコンピュータプログラム指令は又、コンピュータ又は他のプログラミング可能なデータ処理装置に実装できる。コンピュータプログラム指令が実装されたコンピュータ又は他のプログラミング可能な装置は、一連な操作ステップを実行することにより、関連の処理を実現し、コンピュータ又は他のプログラミング可能な装置において実行される指令により、フロー図における一つ又は複数のフローと／又はブロック図における一つ又は複数のブロックに指定される機能を実現する。
【０１７７】
本発明の好ましい実施形態について記述したが、当業者は、本発明の基本的な技術思想を把握した上、多種多様な変更と変形を行える。そのような全ての変形と変更は本発明に記述された実施形態と共に、付加する請求の範囲の範囲内にあると解釈されるべきである。
【０１７８】
無論、当業者により、上述した実施形態に記述された技術的な解決手段を改造し、又はその中の一部の技術要素を置換することもできる。そのような改造と置換は本発明の各実施形態の技術の範囲から逸脱するとは見なされない。
【図１】
0006779286.tif 000066
【図２】
0006779286.tif 000067
【図３ａ】
0006779286.tif 000068
【図３ｂ】
0006779286.tif 000069
【図３ｃ】
0006779286.tif 000070
【図４ａ】
0006779286.tif 000071
【図４ｂ】
0006779286.tif 000072
【図５ａ】
0006779286.tif 000073
【図５ｂ】
0006779286.tif 000074
【図５ｃ】
0006779286.tif 000075
【図５ｄ】
0006779286.tif 000076
【図６ａ】
0006779286.tif 000077
【図６ｂ】
0006779286.tif 000078
【図６ｃ】
0006779286.tif 000079
【図６ｄ】
0006779286.tif 000080
【図７】
0006779286.tif 000081
【図８】
0006779286.tif 000082
【図９】
0006779286.tif 000083
【図１０】
0006779286.tif 000084
【図１１】
0006779286.tif 000085
【図１２】
0006779286.tif 000086